(57)【要約】【課題】測定を実行する方法を提供する。【解決手段】前記方法は、サービングセルに対する第１の測定サブフレームパターンと、第１及び第２の隣接セルのＣＲＳ(Ｃｅｌｌ−ｓｐｅｃｉｆｉｃ Ｒｅｆｅｒｅｎｃｅ Ｓｉｇｎａｌ)に対する支援情報とを前記サービングセルから受信するステップと、前記サービングセルから、第１及び第２の隣接セルに対する第２の測定サブフレームパターンを受信するステップと、ここで、前記サービングセルと前記第１の隣接セルは、前記第２の隣接セルであるビクティムセルに対するアグレッサセルであり、前記サービングセルのＣＲＳは、前記第２の隣接セルのＣＲＳと衝突し、且つ前記第１の隣接セルのＣＲＳは、前記第２の隣接セルのＣＲＳと衝突しない場合、前記受信された第２の測定サブフレームパターンは、ＡＢＳ(ａｌｍｏｓｔ ｂｌａｎｋ ｓｕｂｆｒａｍｅ)パターンに基づいて設定されており、及び、前記第２の測定サブフレームパターンに基づき、前記第１及び第２の隣接セルに対する測定を実行するステップとを含む。【選択図】図１３ｃ
2015528661.tif 000002
【特許請求の範囲】
【請求項１】
測定を実行する方法であって、
サービングセルに対する第１の測定サブフレームパターンと、第１及び第２の隣接セルのＣＲＳ(Ｃｅｌｌ−ｓｐｅｃｉｆｉｃ Ｒｅｆｅｒｅｎｃｅ Ｓｉｇｎａｌ)に対する支援情報とを前記サービングセルから受信するステップと、
前記サービングセルから、第１及び第２の隣接セルに対する第２の測定サブフレームパターンを受信するステップと、
ここで、前記サービングセルと前記第１の隣接セルは、前記第２の隣接セルであるビクティムセルに対するアグレッサセルであり、前記サービングセルのＣＲＳは、前記第２の隣接セルのＣＲＳと衝突し、且つ前記第１の隣接セルのＣＲＳは、前記第２の隣接セルのＣＲＳと衝突しない場合、前記受信された第２の測定サブフレームパターンは、ＡＢＳ(ａｌｍｏｓｔ ｂｌａｎｋ ｓｕｂｆｒａｍｅ)パターンに基づいて設定されており、
前記第２の測定サブフレームパターンに基づき、前記第１及び第２の隣接セルに対する測定を実行するステップとを含む、測定実行方法。
【請求項２】
前記受信された第２の測定サブフレームパターンは、前記ＡＢＳパターンのサブセットに設定されている、請求項１に記載の測定実行方法。
【請求項３】
前記受信された第２の測定サブフレームパターンは、前記ＡＢＳパターンと同じように設定されている、請求項１に記載の測定実行方法。
【請求項４】
前記サービングセルのセルＩＤと前記第２の隣接セルのセルＩＤは、ｍｏｄｕｌｏ６の余り値が同じであるが、前記第１のサービングセルのセルＩＤは、ｍｏｄｕｌｏ６の余り値が同じでない、請求項１に記載の測定実行方法。
【請求項５】
前記第１の隣接セルのＣＲＳは、前記サービングセルのＣＲＳと衝突しない、請求項１に記載の測定実行方法。
【請求項６】
測定を実行する端末であって、
サービングセルに対する第１の測定サブフレームパターンと、第１及び第２の隣接セルのＣＲＳ(Ｃｅｌｌ−ｓｐｅｃｉｆｉｃ Ｒｅｆｅｒｅｎｃｅ Ｓｉｇｎａｌ)に対する支援情報と、第１及び第２の隣接セルに対する第２の測定サブフレームパターンとを受信する受信部と、
ここで、前記サービングセルと前記第１の隣接セルは、前記第２の隣接セルであるビクティムセルに対するアグレッサセルであり、前記サービングセルのＣＲＳは、前記第２の隣接セルのＣＲＳと衝突し、且つ前記第１の隣接セルのＣＲＳは、前記第２の隣接セルのＣＲＳと衝突しない場合、前記受信された第２の測定サブフレームパターンは、ＡＢＳ(ａｌｍｏｓｔ ｂｌａｎｋ ｓｕｂｆｒａｍｅ)パターンに基づいて設定されており、
前記第２の測定サブフレームパターンに基づき、前記第１及び第２の隣接セルに対する測定を実行する制御部とを含む、端末。
【請求項７】
前記受信された第２の測定サブフレームパターンは、前記ＡＢＳパターンのサブセットに設定されている、請求項６に記載の端末。
【請求項８】
前記受信された第２の測定サブフレームパターンは、前記ＡＢＳパターンと同じように設定されている、請求項６に記載の端末。
【請求項９】
前記サービングセルのセルＩＤと前記第２の隣接セルのセルＩＤは、ｍｏｄｕｌｏ６の余り値が同じであるが、前記第１のサービングセルのセルＩＤは、ｍｏｄｕｌｏ６の余り値が同じでない、請求項６に記載の端末。
【請求項１０】
前記第１の隣接セルのＣＲＳは、前記サービングセルのＣＲＳと衝突しない、請求項１に記載の端末。
【発明の詳細な説明】
【技術分野】
【０００１】
本発明は、移動通信に関する。
【背景技術】
【０００２】
ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の向上である３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)は、３ＧＰＰリリース(ｒｅｌｅａｓｅ)８で紹介されている。３ＧＰＰ ＬＴＥは、ダウンリンクでＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)を使用し、アップリンクでＳＣ−ＦＤＭＡ(Ｓｉｎｇｌｅ Ｃａｒｒｉｅｒ−ｆｒｅｑｕｅｎｃｙ ｄｉｖｉｓｉｏｎ ｍｕｌｔｉｐｌｅ ａｃｃｅｓｓ)を使用する。最大４個のアンテナを有するＭＩＭＯ(ｍｕｌｔｉｐｌｅ ｉｎｐｕｔ ｍｕｌｔｉｐｌｅ ｏｕｔｐｕｔ)を採用する。最近、３ＧＰＰ ＬＴＥの進化である３ＧＰＰ ＬＴＥ−Ａ(ＬＴＥ−Ａｄｖａｎｃｅｄ)に対する議論が進行中である。
【０００３】
３ＧＰＰ ＴＳ ３６.２１１ Ｖ１０.４.０(２０１１−１２)“Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ １０)”に開示されているように、ＬＴＥにおける物理チャネルは、ダウンリンクチャネルであるＰＤＳＣＨ(Ｐｈｙｓｉｃａｌ Ｄｏｗｎｌｉｎｋ Ｓｈａｒｅｄ Ｃｈａｎｎｅｌ)及びＰＤＣＣＨ(Ｐｈｙｓｉｃａｌ Ｄｏｗｎｌｉｎｋ Ｃｏｎｔｒｏｌ Ｃｈａｎｎｅｌ)と、アップリンクチャネルであるＰＵＳＣＨ(Ｐｈｙｓｉｃａｌ Ｕｐｌｉｎｋ Ｓｈａｒｅｄ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)とに分けられる。
【０００４】
一方、次世代移動通信システムではセルカバレッジ半径が小さい小規模セル(ｓｍａｌｌ ｃｅｌｌ)がマクロセル(ｍａｃｒｏ ｃｅｌｌ)のカバレッジ内に追加されることが予想される。
【０００５】
一方、このような小規模セルにより、干渉はさらに増加し、それによって、測定が正確に実行されないおそれがある。
【発明の概要】
【発明が解決しようとする課題】
【０００６】
したがって、本明細書の開示は、前述した問題点を解決することを目的とする。
【課題を解決するための手段】
【０００７】
前述した目的を達成するために、本明細書の一開示は、測定を実行する方法を提供する。前記方法は、サービングセルに対する第１の測定サブフレームパターンと、第１及び第２の隣接セルのＣＲＳ(Ｃｅｌｌ−ｓｐｅｃｉｆｉｃ Ｒｅｆｅｒｅｎｃｅ Ｓｉｇｎａｌ)に対する支援情報とを前記サービングセルから受信するステップと、前記サービングセルから、第１及び第２の隣接セルに対する第２の測定サブフレームパターンを受信するステップと、ここで、前記サービングセルと前記第１の隣接セルは、前記第２の隣接セルであるビクティムセルに対するアグレッサセルであり、前記サービングセルのＣＲＳは、前記第２の隣接セルのＣＲＳと衝突し、且つ前記第１の隣接セルのＣＲＳは、前記第２の隣接セルのＣＲＳと衝突しない場合、前記受信された第２の測定サブフレームパターンは、ＡＢＳ(ａｌｍｏｓｔ ｂｌａｎｋ ｓｕｂｆｒａｍｅ)パターンに基づいて設定されており、前記第２の測定サブフレームパターンに基づき、前記第１及び第２の隣接セルに対する測定を実行するステップとを含む。
【０００８】
また、前述した目的を達成するために、本明細書の一開示は、測定を実行する端末を提供する。前記端末は、サービングセルに対する第１の測定サブフレームパターンと、第１及び第２の隣接セルのＣＲＳ(Ｃｅｌｌ−ｓｐｅｃｉｆｉｃ Ｒｅｆｅｒｅｎｃｅ Ｓｉｇｎａｌ)に対する支援情報と、第１及び第２の隣接セルに対する第２の測定サブフレームパターンとを受信する受信部と、ここで、前記サービングセルと前記第１の隣接セルは、前記第２の隣接セルであるビクティムセルに対するアグレッサセルであり、前記サービングセルのＣＲＳは、前記第２の隣接セルのＣＲＳと衝突し、且つ前記第１の隣接セルのＣＲＳは、前記第２の隣接セルのＣＲＳと衝突しない場合、前記受信された第２の測定サブフレームパターンは、ＡＢＳ(ａｌｍｏｓｔ ｂｌａｎｋ ｓｕｂｆｒａｍｅ)パターンに基づいて設定されており、前記第２の測定サブフレームパターンに基づき、前記第１及び第２の隣接セルに対する測定を実行する制御部とを含む。
【０００９】
測定実行方法において、前記受信された第２の測定サブフレームパターンは、前記ＡＢＳパターンのサブセットに設定されており、また、前記ＡＢＳパターンと同じように設定されている。
【００１０】
測定実行方法において、前記サービングセルのセルＩＤと前記第２の隣接セルのセルＩＤは、ｍｏｄｕｌｏ６の余り値が同じであるが、前記第１のサービングセルのセルＩＤは、ｍｏｄｕｌｏ６の余り値が同じでない。
【００１１】
測定実行方法において、前記第１の隣接セルのＣＲＳは、前記サービングセルのＣＲＳと衝突しない。
【発明の効果】
【００１２】
本明細書の開示によると、測定が効率的で、且つ正確に実行されることができる。
【図面の簡単な説明】
【００１３】
【図１】無線通信システムである。
【図２】一般的な多重アンテナシステムのアンテナ構成図である。
【図３】３ＧＰＰ ＬＴＥにおいて、ＦＤＤによる無線フレーム(ｒａｄｉｏ ｆｒａｍｅ)の構造を示す。
【図４】３ＧＰＰ ＬＴＥにおいて、一つのアップリンクまたはダウンリンクスロットに対するリソースグリッド(ｒｅｓｏｕｒｃｅ ｇｒｉｄ)を示す例示図である。
【図５】ダウンリンクサブフレームの構造を示す。
【図６】３ＧＰＰ ＬＴＥにおけるアップリンクサブフレームの構造を示す。
【図７】単一搬送波システムとキャリアアグリゲーションシステムの比較例である。
【図８】基地局が一つのアンテナポートを使用する場合、ＣＲＳがＲＢにマッピングされるパターンの一例を示す。
【図９ａ】測定及び測定報告手順を示す。
【図９ｂ】チャネル状態情報報告手順を示す。
【図１０】セル間の干渉問題を示す例示図である。
【図１１ａ】基地局間干渉を解決するためのｅＩＣＩＣ(ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)を示す例示図である。
【図１１ｂ】ＡＢＳサブフレーム関連情報を交換する例を示す。
【図１２】ＵＥの構造を例示的に示すブロック図である。
【図１３ａ】マクロセルと小規模セルを含む異種ネットワークを示す例示図である。
【図１３ｂ】図１３ａに示す環境でＣＲＳが互いに衝突する例を示す。
【図１３ｃ】ネットワークがＵＥのＣＲＳ干渉除去をサポートする過程を示す。
【図１４】図１３ａに示す環境の変形例を示す例示図である。
【図１５】本明細書の開示が具現される無線通信システムを示すブロック図である。
【発明を実施するための形態】
【００１４】
以下、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)または３ＧＰＰ ＬＴＥ−Ａ(ＬＴＥ−Ａｄｖａｎｃｅｄ)に基づいて本発明が適用されることを記述する。これは例示に過ぎず、本発明は、多様な無線通信システムに適用されることができる。以下、ＬＴＥとは、ＬＴＥ及び/またはＬＴＥ−Ａを含む。
【００１５】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、事前定義によって、または前後文脈によって、解釈されなければならず、過度に縮小された意味で解釈されてはならない。
【００１６】
また、本明細書で使われる単数の表現は、文脈上、明白に異なる意味ではない限り、複数の表現を含む。本出願において、「構成される」または「含む」などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００１７】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００１８】
一構成要素が他の構成要素に「連結されている」または「接続されている」と言及された場合、該当他の構成要素に直接的に連結されており、または接続されていることもあるが、中間に他の構成要素が存在することもある。それに対し、一構成要素が他の構成要素に「直接連結されている」または「直接接続されている」と言及された場合、中間に他の構成要素が存在しないと理解しなければならない。
【００１９】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２０】
以下で使われる用語である基地局は、一般的に無線機器と通信する固定局(ｆｉｘｅｄ ｓｔａｔｉｏｎ)を意味し、ｅＮｏｄｅＢ(ｅｖｏｌｖｅｄ−ＮｏｄｅＢ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。
【００２１】
また、以下で使われる用語であるＵＥ(Ｕｓｅｒ Ｅｑｕｉｐｍｅｎｔ)は、固定されてもよいし、移動性を有してもよく、機器(Ｄｅｖｉｃｅ)、無線機器(Ｗｉｒｅｌｅｓｓ Ｄｅｖｉｃｅ)、端末(Ｔｅｒｍｉｎａｌ)、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、ＭＴ(ｍｏｂｉｌｅ ｔｅｒｍｉｎａｌ)等、他の用語で呼ばれることもある。
【００２２】
図１は、無線通信システムである。
【００２３】
図１を参照して分かるように、無線通信システムは、少なくとも一つの基地局(ｂａｓｅ ｓｔａｔｉｏｎ、ＢＳ)２０を含む。各基地局２０は、特定の地理的領域(一般的にセルという)２０ａ、２０ｂ、２０ｃに対して通信サービスを提供する。また、セルは、複数の領域(セクターという)に分けられる。
【００２４】
ＵＥは、通常、一つのセルに属し、ＵＥが属するセルをサービングセル(ｓｅｒｖｉｎｇ ｃｅｌｌ)という。サービングセルに対して通信サービスを提供する基地局をサービング基地局(ｓｅｒｖｉｎｇ ＢＳ)という。無線通信システムは、セルラーシステム(ｃｅｌｌｕｌａｒ ｓｙｓｔｅｍ)であるため、サービングセルに隣接する他のセルが存在する。サービングセルに隣接する他のセルを隣接セル(ｎｅｉｇｈｂｏｒ ｃｅｌｌ)という。隣接セルに対して通信サービスを提供する基地局を隣接基地局(ｎｅｉｇｈｂｏｒ ＢＳ)という。サービングセル及び隣接セルは、ＵＥを基準に相対的に決定される。
【００２５】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００２６】
一方、無線通信システムは、ＭＩＭＯ(ｍｕｌｔｉｐｌｅ−ｉｎｐｕｔ ｍｕｌｔｉｐｌｅ−ｏｕｔｐｕｔ)システム、ＭＩＳＯ(ｍｕｌｔｉｐｌｅ−ｉｎｐｕｔ ｓｉｎｇｌｅ−ｏｕｔｐｕｔ)システム、ＳＩＳＯ(ｓｉｎｇｌｅ−ｉｎｐｕｔ ｓｉｎｇｌｅ−ｏｕｔｐｕｔ)システム、及びＳＩＭＯ(ｓｉｎｇｌｅ−ｉｎｐｕｔ ｍｕｌｔｉｐｌｅ−ｏｕｔｐｕｔ)システムのうちいずれか一つである。ＭＩＭＯシステムは、複数の送信アンテナ(ｔｒａｎｓｍｉｔ ａｎｔｅｎｎａ)と複数の受信アンテナ(ｒｅｃｅｉｖｅ ａｎｔｅｎｎａ)を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号またはストリームの送信に使われる物理的または論理的アンテナを意味し、受信アンテナは、一つの信号またはストリームの受信に使われる物理的または論理的アンテナを意味する。
【００２７】
図２は、一般的な多重アンテナシステムのアンテナ構成図である。
【００２８】
図２に示すように、送信アンテナの数をＮT個に、受信アンテナの数をＮR個に同時に増やすと、送信機や受信機でのみ複数のアンテナを使用するようになる場合と違って、アンテナ数に比例して理論的なチャネル送信容量が増加するため、送信レート(または、送信率)を向上させ、周波数効率を画期的に向上させることができる。
【００２９】
チャネル送信容量の増加による送信率は、一つのアンテナを利用する場合の最大送信レート(Ｒ0)に次のようなレート増加率(Ｒi)をかけたほど理論的に増加できる。即ち、例えば、４個の送信アンテナと４個の受信アンテナを利用するＭＩＭＯ通信システムでは、単一アンテナシステムに比べて理論上４倍の送信レートを取得することができる。
【００３０】
このような多重アンテナシステムの理論的な容量増加が９０年代中期に証明された後、実質的にデータ送信率を向上するための多様な技術が現在まで活発に研究されており、これらのうち、いくつかの技術は、既に３世代移動通信と次世代無線ＬＡＮなどの多様な無線通信の標準に反映されている。
【００３１】
【数１】
2015528661.tif 000003
【００３２】
現在までの多重アンテナ関連研究動向を見ると、多様なチャネル環境及び多重接続環境での多重アンテナ通信容量計算などと関連した情報理論についての研究、多重アンテナシステムの無線チャネル測定及びモデル導出研究、そして送信信頼度向上及び送信率向上のための時空間信号処理技術研究など、多様な観点で活発な研究が進行されている。
【００３３】
一般的なＭＩＭＯチャネル(ｃｈａｎｎｅｌ)環境を有するＵＥの構造において、各受信アンテナに入る受信信号は、以下の数式２のように表現されることができる。
【００３４】
【数２】
2015528661.tif 000004
【００３５】
ここで、各送受信アンテナ間のチャネルは、送受信アンテナインデックスによって区分することができ、送信アンテナｊから受信アンテナｉを経るチャネルは、ｈijで表示され、もし、送信時、ＬＴＥのようにプリコーディング(ｐｒｅｃｏｄｉｎｇ)技法(ｓｃｈｅｍｅ)を使用する場合、送信信号ｘは、数式３のように表現することができる。
【００３６】
【数３】
2015528661.tif 000005
【００３７】
【数４】
2015528661.tif 000006
【００３８】
【数５】
2015528661.tif 000007
【００３９】
一方、無線通信システムは、大きく、ＦＤＤ(ｆｒｅｑｕｅｎｃｙ ｄｉｖｉｓｉｏｎ ｄｕｐｌｅｘ)方式とＴＤＤ(ｔｉｍｅ ｄｉｖｉｓｉｏｎ ｄｕｐｌｅｘ)方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的(ｒｅｃｉｐｒｏｃａｌ)である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００４０】
以下、ＬＴＥシステムに対し、より詳細に説明する。
【００４１】
図３は、３ＧＰＰ ＬＴＥにおいて、ＦＤＤによる無線フレーム(ｒａｄｉｏ ｆｒａｍｅ)の構造を示す。
【００４２】
図３に示す無線フレームは、３ＧＰＰ ＴＳ ３６.２１１ Ｖ１０.４.０(２０１１−１２)“Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ １０)”の５節を参照することができる。
【００４３】
図３を参照すると、無線フレームは、１０個のサブフレーム(ｓｕｂｆｒａｍｅ)を含み、一つのサブフレームは、２個のスロット(ｓｌｏｔ)を含む。無線フレーム内のスロットは、０から１９までのスロット番号が付けられる。一つのサブフレームの送信にかかる時間をＴＴＩ(ｔｒａｎｓｍｉｓｓｉｏｎ ｔｉｍｅ ｉｎｔｅｒｖａｌ)という。ＴＴＩは、データ送信のためのスケジューリング単位である。例えば、一つの無線フレームの長さは１０ｍｓであり、一つのサブフレームの長さは１ｍｓであり、一つのスロットの長さは０.５ｍｓである。
【００４４】
無線フレームの構造は、例示に過ぎず、無線フレームに含まれるサブフレームの数またはサブフレームに含まれるスロットの数等は、多様に変更されることができる。
【００４５】
一方、一つのスロットは、複数のＯＦＤＭシンボルを含むことができる。一つのスロットに複数のＯＦＤＭシンボルが含まれるかどうかは、サイクリックプレフィックス(ｃｙｃｌｉｃ ｐｒｅｆｉｘ：ＣＰ)によって変わることができる。
【００４６】
図４は、３ＧＰＰ ＬＴＥにおいて、一つのアップリンクまたはダウンリンクスロットに対するリソースグリッド(ｒｅｓｏｕｒｃｅ ｇｒｉｄ)を示す例示図である。
【００４７】
図４を参照すると、アップリンクスロットは、時間領域(ｔｉｍｅ ｄｏｍａｉｎ)で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含み、周波数領域(ｆｒｅｑｕｅｎｃｙ ｄｏｍａｉｎ)でＮRB個のリソースブロック(Ｒｅｓｏｕｒｃｅ Ｂｌｏｃｋ、ＲＢ)を含む。例えば、ＬＴＥシステムにおいて、リソースブロック(Ｒｅｓｏｕｒｃｅ Ｂｌｏｃｋ、ＲＢ)の個数、即ち、ＮRBは、６〜１１０のうちいずれか一つである。
【００４８】
ここで、一つのリソースブロックは、時間領域で７ＯＦＤＭシンボルと、周波数領域で１２副搬送波とを含む７×１２リソース要素を含むことを例示的に記述するが、リソースブロック内の副搬送波の数とＯＦＤＭシンボルの数は、これに制限されるものではない。リソースブロックが含むＯＦＤＭシンボルの数または副搬送波の数は、多様に変更することができる。即ち、ＯＦＤＭシンボルの数は、前述したＣＰの長さによって変更することができる。特に、３ＧＰＰ ＬＴＥにおいて、ノーマルＣＰの場合、一つのスロット内に７個のＯＦＤＭシンボルが含まれ、拡張ＣＰの場合、一つのスロット内に６個のＯＦＤＭシンボルが含まれると定義している。
【００４９】
ＯＦＤＭシンボルは、一つのシンボル区間(ｓｙｍｂｏｌ ｐｅｒｉｏｄ)を表現するためのものであり、システムによって、ＳＣ−ＦＤＭＡシンボル、ＯＦＤＭＡシンボルまたはシンボル区間ということができる。リソースブロックは、リソース割当単位であり、周波数領域で複数の副搬送波を含む。アップリンクスロットに含まれるリソースブロックの数ＮULは、セルで設定されるアップリンク送信帯域幅(ｂａｎｄｗｉｄｔｈ)に従属する。リソースグリッド上の各要素(ｅｌｅｍｅｎｔ)をリソース要素(ｒｅｓｏｕｒｃｅ ｅｌｅｍｅｎｔ)という。
【００５０】
一方、一つのＯＦＤＭシンボルにおける副搬送波の数は、１２８、２５６、５１２、１０２４、１５３６及び２０４８のうち一つを選定して使用することができる。
【００５１】
図４の３ＧＰＰ ＬＴＥにおいて、一つのアップリンクスロットに対するリソースグリッドは、ダウンリンクスロットに対するリソースグリッドにも適用されることができる。
【００５２】
図５は、ダウンリンクサブフレームの構造を示す。
【００５３】
図５は、ノーマルＣＰを仮定し、例示的に一つのスロット内に７ＯＦＤＭシンボルが含むものを示す。しかし、サイクリックプレフィックス(Ｃｙｃｌｉｃ Ｐｒｅｆｉｘ：ＣＰ)の長さによって、一つのスロットに含まれるＯＦＤＭシンボルの数を変えることができる。即ち、前述したように、３ＧＰＰ ＴＳ ３６.２１１ Ｖ１０.４.０によると、ノーマル(ｎｏｒｍａｌ)ＣＰにおいて、１スロットは７ＯＦＤＭシンボルを含み、拡張(ｅｘｔｅｎｄｅｄ)ＣＰにおいて、１スロットは６ＯＦＤＭシンボルを含む。
【００５４】
リソースブロック(ｒｅｓｏｕｒｃｅ ｂｌｏｃｋ、ＲＢ)は、リソース割当単位であり、一つのスロットで複数の副搬送波を含む。例えば、一つのスロットが時間領域で７個のＯＦＤＭシンボルを含み、且つリソースブロックが周波数領域で１２個の副搬送波を含む場合、一つのリソースブロックは、７×１２個のリソース要素(ｒｅｓｏｕｒｃｅ ｅｌｅｍｅｎｔ、ＲＥ)を含むことができる。
【００５５】
ＤＬ(ｄｏｗｎｌｉｎｋ)サブフレームは、時間領域で制御領域(ｃｏｎｔｒｏｌ ｒｅｇｉｏｎ)とデータ領域(ｄａｔａ ｒｅｇｉｏｎ)とに分けられる。制御領域は、サブフレーム内の第１のスロットの前方部の最大３個のＯＦＤＭシンボルを含むが、制御領域に含まれるＯＦＤＭシンボルの個数を変えることができる。制御領域にはＰＤＣＣＨ(Ｐｈｙｓｉｃａｌ Ｄｏｗｎｌｉｎｋ Ｃｏｎｔｒｏｌ Ｃｈａｎｎｅｌ)及び他の制御チャネルが割り当てられ、データ領域にはＰＤＳＣＨが割り当てられる。
【００５６】
３ＧＰＰ ＬＴＥにおいて、物理チャネルは、データチャネルであるＰＤＳＣＨ(Ｐｈｙｓｉｃａｌ Ｄｏｗｎｌｉｎｋ Ｓｈａｒｅｄ Ｃｈａｎｎｅｌ)及びＰＵＳＣＨ(Ｐｈｙｓｉｃａｌ Ｕｐｌｉｎｋ Ｓｈａｒｅｄ Ｃｈａｎｎｅｌ)と、制御チャネルであるＰＤＣＣＨ(Ｐｈｙｓｉｃａｌ Ｄｏｗｎｌｉｎｋ Ｃｏｎｔｒｏｌ Ｃｈａｎｎｅｌ)、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)とに分けられる。
【００５７】
サブフレームの１番目のＯＦＤＭシンボルで送信されるＰＣＦＩＣＨは、サブフレーム内で制御チャネルの送信に使われるＯＦＤＭシンボルの数(即ち、制御領域の大きさ)に対するＣＦＩ(ｃｏｎｔｒｏｌ ｆｏｒｍａｔ ｉｎｄｉｃａｔｏｒ)を伝送する。無線機器は、まず、ＰＣＦＩＣＨ上にＣＦＩを受信した後、ＰＤＣＣＨをモニタリングする。
【００５８】
ＰＤＣＣＨと違って、ＰＣＦＩＣＨは、ブラインドデコーディングを使用せずに、サブフレームの固定されたＰＣＦＩＣＨリソースを介して送信される。
【００５９】
ＰＨＩＣＨは、ＵＬ ＨＡＲＱ(ｈｙｂｒｉｄ ａｕｔｏｍａｔｉｃ ｒｅｐｅａｔ ｒｅｑｕｅｓｔ)のためのＡＣＫ(ｐｏｓｉｔｉｖｅ−ａｃｋｎｏｗｌｅｄｇｅｍｅｎｔ)/ＮＡＣＫ(ｎｅｇａｔｉｖｅ−ａｃｋｎｏｗｌｅｄｇｅｍｅｎｔ)信号を伝送する。無線機器により送信されるＰＵＳＣＨ上のＵＬ(ｕｐｌｉｎｋ)データに対するＡＣＫ/ＮＡＣＫ信号は、ＰＨＩＣＨ上に送信される。
【００６０】
ＰＢＣＨ(Ｐｈｙｓｉｃａｌ Ｂｒｏａｄｃａｓｔ Ｃｈａｎｎｅｌ)は、無線フレームの１番目のサブフレームの第２のスロットの前方部の４個のＯＦＤＭシンボルで送信される。ＰＢＣＨは、無線機器が基地局と通信するときに必須的なシステム情報を伝送し、ＰＢＣＨを介して送信されるシステム情報をＭＩＢ(ｍａｓｔｅｒ ｉｎｆｏｒｍａｔｉｏｎ ｂｌｏｃｋ)という。それに対し、ＰＤＣＣＨにより指示されるＰＤＳＣＨ上に送信されるシステム情報をＳＩＢ(ｓｙｓｔｅｍ ｉｎｆｏｒｍａｔｉｏｎ ｂｌｏｃｋ)という。
【００６１】
ＰＤＣＣＨは、ＤＬ−ＳＣＨ(ｄｏｗｎｌｉｎｋ−ｓｈａｒｅｄ ｃｈａｎｎｅｌ)のリソース割当及び送信フォーマット、ＵＬ−ＳＣＨ(ｕｐｌｉｎｋ ｓｈａｒｅｄ ｃｈａｎｎｅｌ)のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令のセット及びＶｏＩＰ(ｖｏｉｃｅ ｏｖｅｒ ｉｎｔｅｒｎｅｔ ｐｒｏｔｏｃｏｌ)の活性化などを伝送することができる。複数のＰＤＣＣＨが制御領域内で送信することができ、ＵＥは、複数のＰＤＣＣＨをモニタリングすることができる。ＰＤＣＣＨは、一つまたは複数の連続的なＣＣＥ(ｃｏｎｔｒｏｌ ｃｈａｎｎｅｌ ｅｌｅｍｅｎｔｓ)のアグリゲーション(ａｇｇｒｅｇａｔｉｏｎ)上に送信される。ＣＣＥは、無線チャネルの状態による符号化率をＰＤＣＣＨに提供するために使われる論理的割当単位である。ＣＣＥは、複数のリソース要素グループ(ｒｅｓｏｕｒｃｅ ｅｌｅｍｅｎｔ ｇｒｏｕｐ)に対応される。ＣＣＥの数とＣＣＥにより提供される符号化率の関係によって、ＰＤＣＣＨのフォーマット及び可能なＰＤＣＣＨのビット数が決定される。
【００６２】
ＰＤＣＣＨを介して送信される制御情報をダウンリンク制御情報(ｄｏｗｎｌｉｎｋ ｃｏｎｔｒｏｌ ｉｎｆｏｒｍａｔｉｏｎ、ＤＣＩ)という。ＤＣＩは、ＰＤＳＣＨのリソース割当(これをＤＬグラント(ｄｏｗｎｌｉｎｋ ｇｒａｎｔ)ともいう)、ＰＵＳＣＨのリソース割当(これをＵＬグラント(ｕｐｌｉｎｋ ｇｒａｎｔ)ともいう)、任意のＵＥグループ内の個別ＵＥに対する送信パワー制御命令のセット及び/またはＶｏＩＰ(Ｖｏｉｃｅ ｏｖｅｒ Ｉｎｔｅｒｎｅｔ Ｐｒｏｔｏｃｏｌ)の活性化を含むことができる。
【００６３】
基地局は、ＵＥに送るＤＣＩによって、ＰＤＣＣＨフォーマットを決定し、制御情報にＣＲＣ(ｃｙｃｌｉｃ ｒｅｄｕｎｄａｎｃｙ ｃｈｅｃｋ)を付ける。ＣＲＣには、ＰＤＣＣＨのオーナ(ｏｗｎｅｒ)や用途によって、固有な識別子(ＲＮＴＩ；ｒａｄｉｏ ｎｅｔｗｏｒｋ ｔｅｍｐｏｒａｒｙ ｉｄｅｎｔｉｆｉｅｒ)がマスキングされる。特定ＵＥのためのＰＤＣＣＨの場合、ＵＥの固有識別子、例えば、Ｃ−ＲＮＴＩ(ｃｅｌｌ−ＲＮＴＩ)はＣＲＣにマスキングされることができる。または、ページングメッセージのためのＰＤＣＣＨの場合、ページング指示識別子、例えば、Ｐ−ＲＮＴＩ(ｐａｇｉｎｇ−ＲＮＴＩ)がＣＲＣにマスキングされることができる。システム情報ブロック(ＳＩＢ；ｓｙｓｔｅｍ ｉｎｆｏｒｍａｔｉｏｎ ｂｌｏｃｋ)のためのＰＤＣＣＨの場合、システム情報識別子、ＳＩ−ＲＮＴＩ(ｓｙｓｔｅｍ ｉｎｆｏｒｍａｔｉｏｎ−ＲＮＴＩ)はＣＲＣにマスキングされることができる。ＵＥのランダムアクセスプリアンブルの送信に対する応答であるランダムアクセス応答を指示するために、ＲＡ−ＲＮＴＩ(ｒａｎｄｏｍ ａｃｃｅｓｓ−ＲＮＴＩ)はＣＲＣにマスキングされることができる。
【００６４】
３ＧＰＰ ＬＴＥでは、ＰＤＣＣＨの検出のためにブラインドデコーディングを使用する。ブラインドデコーディングは、受信されるＰＤＣＣＨ(これを候補(ｃａｎｄｉｄａｔｅ)ＰＤＣＣＨという)のＣＲＣ(Ｃｙｃｌｉｃ Ｒｅｄｕｎｄａｎｃｙ Ｃｈｅｃｋ)に所望の識別子をデマスキングし、ＣＲＣエラーをチェックして該当ＰＤＣＣＨが自分の制御チャネルかどうかを確認する方式である。基地局は、無線機器に送るＤＣＩによって、ＰＤＣＣＨフォーマットを決定した後、ＤＣＩにＣＲＣを付け、ＰＤＣＣＨのオーナ(ｏｗｎｅｒ)や用途によって、固有な識別子(これをＲＮＴＩ(Ｒａｄｉｏ Ｎｅｔｗｏｒｋ Ｔｅｍｐｏｒａｒｙ Ｉｄｅｎｔｉｆｉｅｒ)という)をＣＲＣにマスキングする。
【００６５】
アップリンクチャネルは、ＰＵＳＣＨ、ＰＵＣＣＨ、ＳＲＳ(Ｓｏｕｎｄｉｎｇ Ｒｅｆｅｒｅｎｃｅ Ｓｉｇｎａｌ)、ＰＲＡＣＨ(Ｐｈｙｓｉｃａｌ Ｒａｎｄｏｍ Ａｃｃｅｓｓ Ｃｈａｎｎｅｌ)を含む。
【００６６】
図６は、３ＧＰＰ ＬＴＥにおけるアップリンクサブフレームの構造を示す。
【００６７】
図６を参照すると、アップリンクサブフレームは、周波数領域で制御領域とデータ領域とに分けられる。制御領域には。アップリンク制御情報が送信されるためのＰＵＣＣＨ(Ｐｈｙｓｉｃａｌ Ｕｐｌｉｎｋ Ｃｏｎｔｒｏｌ Ｃｈａｎｎｅｌ)が割り当てられる。データ領域には、データ(場合によって、制御情報も共に送信することができる)が送信されるためのＰＵＳＣＨ(Ｐｈｙｓｉｃａｌ Ｕｐｌｉｎｋ Ｓｈａｒｅｄ Ｃｈａｎｎｅｌ)が割り当てられる。
【００６８】
一つのＵＥに対するＰＵＣＣＨは、サブフレームでリソースブロック対(ＲＢ ｐａｉｒ)で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界(ｓｌｏｔ ｂｏｕｎｄａｒｙ)を基準にして変更される。これをＰＵＣＣＨに割り当てられるＲＢ対がスロット境界で周波数がホッピングされた(ｆｒｅｑｕｅｎｃｙ−ｈｏｐｐｅｄ)という。
【００６９】
ＵＥがアップリンク制御情報を、時間によって、互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００７０】
ＰＵＣＣＨ上に送信されるアップリンク制御情報には、ＨＡＲＱ(ｈｙｂｒｉｄ ａｕｔｏｍａｔｉｃ ｒｅｐｅａｔ ｒｅｑｕｅｓｔ)ＡＣＫ(ａｃｋｎｏｗｌｅｄｇｅｍｅｎｔ)/ＮＡＣＫ(ｎｏｎ−ａｃｋｎｏｗｌｅｄｇｅｍｅｎｔ)、ダウンリンクチャネル状態を示すＣＱＩ(ｃｈａｎｎｅｌ ｑｕａｌｉｔｙ ｉｎｄｉｃａｔｏｒ)、アップリンク無線リソース割当要求であるＳＲ(ｓｃｈｅｄｕｌｉｎｇ ｒｅｑｕｅｓｔ)などがある。
【００７１】
ＰＵＳＣＨは、トランスポートチャネル(ｔｒａｎｓｐｏｒｔ ｃｈａｎｎｅｌ)であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック(ｔｒａｎｓｐｏｒｔ ｂｌｏｃｋ)である。前記トランスポートブロックは、ユーザ情報である。または、アップリンクデータは、多重化された(ｍｕｌｔｉｐｌｅｘｅｄ)データである。多重化されたデータは、ＵＬ−ＳＣＨのためのトランスポートブロックと制御情報が多重化されたものである。例えば、データに多重化される制御情報には、ＣＱＩ、ＰＭＩ(ｐｒｅｃｏｄｉｎｇ ｍａｔｒｉｘ ｉｎｄｉｃａｔｏｒ)、ＨＡＲＱ、ＲＩ(ｒａｎｋ ｉｎｄｉｃａｔｏｒ)などがある。または、アップリンクデータは、制御情報のみで構成されることもできる。
【００７２】
以下、キャリアアグリゲーションシステムに対して説明する。
【００７３】
図７は、単一搬送波システムとキャリアアグリゲーションシステムの比較例である。
【００７４】
図７の(ａ)を参照すると、単一搬送波システムでは、アップリンクとダウンリンクに一つの搬送波のみをＵＥにサポートする。搬送波の帯域幅は多様であるが、ＵＥに割り当てられる搬送波は一つである。それに対し、図７の(ｂ)を参照すると、キャリアアグリゲーション(ｃａｒｒｉｅｒ ａｇｇｒｅｇａｔｉｏｎ：ＣＡ)システムでは、ＵＥに複数のコンポーネントキャリア(ＤＬ ＣＣ Ａ乃至Ｃ、ＵＬ ＣＣ Ａ乃至Ｃ)を割り当てることができる。コンポーネントキャリア(ｃｏｍｐｏｎｅｎｔ ｃａｒｒｉｅｒ：ＣＣ)は、キャリアアグリゲーションシステムで使われる搬送波を意味し、搬送波と略称することができる。例えば、ＵＥに６０ＭＨｚの帯域幅を割り当てるために、３個の２０ＭＨｚのコンポーネントキャリアを割り当てることができる。
【００７５】
キャリアアグリゲーションシステムは、アグリゲーションされる搬送波が連続する連続(ｃｏｎｔｉｇｕｏｕｓ)キャリアアグリゲーションシステムと、アグリゲーションされる搬送波が互いに離れている不連続(ｎｏｎ−ｃｏｎｔｉｇｕｏｕｓ)キャリアアグリゲーションシステムとに区分することができる。以下、単純にキャリアアグリゲーションシステムという時、これはコンポーネントキャリアが連続の場合と不連続の場合の両方を含むと理解しなければならない。ダウンリンクとアップリンクとの間にアグリゲーションされるコンポーネントキャリアの数は異なるように設定することができる。ダウンリンクＣＣ数とアップリンクＣＣ数が同じ場合を対称的(ｓｙｍｍｅｔｒｉｃ)アグリゲーションといい、その数が異なる場合を非対称的(ａｓｙｍｍｅｔｒｉｃ)アグリゲーションという。
【００７６】
１個以上のコンポーネントキャリアをアグリゲーションする時、対象となるコンポーネントキャリアは、既存システムとの後方互換性(ｂａｃｋｗａｒｄ ｃｏｍｐａｔｉｂｉｌｉｔｙ)のために、既存システムで使用する帯域幅をそのまま使用することができる。例えば、３ＧＰＰ ＬＴＥシステムでは、１.４ＭＨｚ、３ＭＨｚ、５ＭＨｚ、１０ＭＨｚ、１５ＭＨｚ及び２０ＭＨｚの帯域幅をサポートし、３ＧＰＰ ＬＴＥ−Ａシステムでは、前記３ＧＰＰ ＬＴＥシステムの帯域幅のみを利用して２０ＭＨｚ以上の広帯域を構成することができる。または、既存システムの帯域幅をそのまま使用せずに、新たな帯域幅を定義して広帯域を構成することもできる。
【００７７】
無線通信システムのシステム周波数帯域は、複数の搬送波周波数(Ｃａｒｒｉｅｒ−ｆｒｅｑｕｅｎｃｙ)に区分される。ここで、搬送波周波数は、セルの中心周波数(Ｃｅｎｔｅｒ ｆｒｅｑｕｅｎｃｙ ｏｆ ａ ｃｅｌｌ)を意味する。以下、セル(ｃｅｌｌ)は、ダウンリンク周波数リソースとアップリンク周波数リソースを意味する。または、セルは、ダウンリンク周波数リソースと選択的な(ｏｐｔｉｏｎａｌ)アップリンク周波数リソースとの組合せ(ｃｏｍｂｉｎａｔｉｏｎ)を意味する。また、一般的にキャリアアグリゲーション(ＣＡ)を考慮しない場合、一つのセル(ｃｅｌｌ)は、アップリンク及びダウンリンク周波数リソースが常に対で存在する。
【００７８】
特定セルを介してパケット(ｐａｃｋｅｔ)データの送受信を行すためには、ＵＥは、まず、特定セルに対して設定(ｃｏｎｆｉｇｕｒａｔｉｏｎ)を完了しなければならない。ここで、設定(ｃｏｎｆｉｇｕｒａｔｉｏｎ)とは、該当セルに対するデータ送受信に必要なシステム情報受信を完了した状態を意味する。例えば、設定(ｃｏｎｆｉｇｕｒａｔｉｏｎ)は、データ送受信に必要な共通物理階層パラメータ、またはＭＡＣ(ｍｅｄｉａ ａｃｃｅｓｓ ｃｏｎｔｒｏｌ)階層パラメータ、またはＲＲＣ階層で特定動作に必要なパラメータを受信する全般の過程を含むことができる。設定完了したセルは、パケットデータを送信することができるという情報のみを受信すると、直ちにパケットの送受信が可能になる状態である。
【００７９】
設定完了状態のセルは、活性化(Ａｃｔｉｖａｔｉｏｎ)または非活性化(Ｄｅａｃｔｉｖａｔｉｏｎ)状態に存在する。ここで、活性化は、データの送信または受信が行なわれ、または準備状態(ｒｅａｄｙ ｓｔａｔｅ)にあることを意味する。ＵＥは、自分に割り当てられたリソース(周波数、時間など)を確認するために、活性化されたセルの制御チャネル(ＰＤＣＣＨ)及びデータチャネル(ＰＤＳＣＨ)をモニタリングまたは受信することができる。
【００８０】
非活性化は、トラフィックデータの送信または受信が不可能であり、測定や最小情報の送信/受信が可能であることを意味する。ＵＥは、非活性化セルからパケット受信のために必要なシステム情報(ＳＩ)を受信することができる。それに対し、ＵＥは、自分に割り当てられたリソース(周波数、時間など)を確認するために、非活性化されたセルの制御チャネル(ＰＤＣＣＨ)及びデータチャネル(ＰＤＳＣＨ)をモニタリングまたは受信しない。
【００８１】
セルは、プライマリセル(ｐｒｉｍａｒｙ ｃｅｌｌ)、セカンダリセル(ｓｅｃｏｎｄａｒｙ ｃｅｌｌ)、サービングセル(ｓｅｒｖｉｎｇ ｃｅｌｌ)に区分することができる。
【００８２】
プライマリセルは、プライマリ周波数で動作するセルを意味し、ＵＥが基地局との初期接続確立過程(ｉｎｉｔｉａｌ ｃｏｎｎｅｃｔｉｏｎ ｅｓｔａｂｌｉｓｈｍｅｎｔ ｐｒｏｃｅｄｕｒｅ)または接続再確立過程を実行するセル、またはハンドオーバ過程でプライマリセルに指示されたセルを意味する。
【００８３】
セカンダリセルは、セカンダリ周波数で動作するセルを意味し、ＲＲＣ接続が確立される場合に設定され、追加的な無線リソースの提供に使われる。
【００８４】
サービングセルは、キャリアアグリゲーションが設定されない、またはキャリアアグリゲーションを提供することができないＵＥである場合は、プライマリセルで構成される。キャリアアグリゲーションが設定された場合、サービングセルという用語は、ＵＥに設定されたセルを示し、複数で構成することができる。一つのサービングセルは、一つのダウンリンクコンポーネントキャリアまたは｛ダウンリンクコンポーネントキャリア,アップリンクコンポーネントキャリア｝の対で構成することができる。複数のサービングセルは、プライマリセル及び全てのセカンダリセルのうち一つまたは複数で構成されたセットで構成することができる。
【００８５】
前述したように、キャリアアグリゲーションシステムでは、単一搬送波システムと違って、複数のコンポーネントキャリア(ｃｏｍｐｏｎｅｎｔ ｃａｒｒｉｅｒ：ＣＣ)、即ち、複数のサービングセルをサポートすることができる。
【００８６】
このようなキャリアアグリゲーションシステムは、交差搬送波スケジューリングをサポートすることができる。交差搬送波スケジューリング(ｃｒｏｓｓ−ｃａｒｒｉｅｒ ｓｃｈｅｄｕｌｉｎｇ)は、特定コンポーネントキャリアを介して送信されるＰＤＣＣＨを介して他のコンポーネントキャリアを介して送信されるＰＤＳＣＨのリソース割当及び/または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるダウンリンクＣＣを介して送信されることができ、ＵＬグラントを含むＰＤＣＣＨが送信されたダウンリンクＣＣとリンクされたアップリンクＣＣでない他のアップリンクＣＣを介してＰＵＳＣＨを送信することができる。このように交差搬送波スケジューリングをサポートするシステムでは、ＰＤＣＣＨが制御情報を提供するＰＤＳＣＨ/ＰＵＳＣＨがいずれのＤＬ ＣＣ/ＵＬ ＣＣを介して送信されるかを知らせる搬送波指示子が必要である。以下、このような搬送波指示子を含むフィールドを搬送波指示フィールド(ｃａｒｒｉｅｒ ｉｎｄｉｃａｔｉｏｎ ｆｉｅｌｄ：ＣＩＦ)という。
【００８７】
交差搬送波スケジューリングをサポートするキャリアアグリゲーションシステムは、従来のＤＣＩ(ｄｏｗｎｌｉｎｋ ｃｏｎｔｒｏｌ ｉｎｆｏｒｍａｔｉｏｎ)フォーマットに搬送波指示フィールド(ＣＩＦ)を含むことができる。交差搬送波スケジューリングをサポートするシステム、例えば、ＬＴＥ−Ａシステムでは、既存のＤＣＩフォーマット(即ち、ＬＴＥで使用するＤＣＩフォーマット)にＣＩＦが追加されるため、３ビットを拡張することができ、ＰＤＣＣＨ構造は、既存のコーディング方法、リソース割当方法(即ち、ＣＣＥに基づくリソースマッピング)等を再使用することができる。
【００８８】
一方、サブフレームには、多様な参照信号(ｒｅｆｅｒｅｎｃｅ ｓｉｇｎａｌ：ＲＳ)が送信される。
【００８９】
参照信号は、一般的にシーケンスで送信される。参照信号シーケンスは、特別な制限無しで任意のシーケンスを使うことができる。参照信号シーケンスは、ＰＳＫ(ｐｈａｓｅ ｓｈｉｆｔ ｋｅｙｉｎｇ)に基づくコンピュータを介して生成されたシーケンス(ＰＳＫ−ｂａｓｅｄ ｃｏｍｐｕｔｅｒ ｇｅｎｅｒａｔｅｄ ｓｅｑｕｅｎｃｅ)を使用することができる。ＰＳＫの例には、ＢＰＳＫ(ｂｉｎａｒｙ ｐｈａｓｅ ｓｈｉｆｔ ｋｅｙｉｎｇ)、ＱＰＳＫ(ｑｕａｄｒａｔｕｒｅ ｐｈａｓｅ ｓｈｉｆｔ ｋｅｙｉｎｇ)などがある。または、参照信号シーケンスは、ＣＡＺＡＣ(ｃｏｎｓｔａｎｔ ａｍｐｌｉｔｕｄｅ ｚｅｒｏ ａｕｔｏ−ｃｏｒｒｅｌａｔｉｏｎ)シーケンスを使用することができる。ＣＡＺＡＣシーケンスの例には、ＺＣ(Ｚａｄｏｆｆ−Ｃｈｕ)に基づいているシーケンス(ＺＣ−ｂａｓｅｄ ｓｅｑｕｅｎｃｅ)、循環拡張(ｃｙｃｌｉｃ ｅｘｔｅｎｓｉｏｎ)されたＺＣシーケンス(ＺＣ ｓｅｑｕｅｎｃｅ ｗｉｔｈ ｃｙｃｌｉｃ ｅｘｔｅｎｓｉｏｎ)、切断(ｔｒｕｎｃａｔｉｏｎ)ＺＣシーケンス(ＺＣ ｓｅｑｕｅｎｃｅ ｗｉｔｈ ｔｒｕｎｃａｔｉｏｎ)などがある。または、参照信号シーケンスは、ＰＮ(ｐｓｅｕｄｏ−ｒａｎｄｏｍ)シーケンスを使用することができる。ＰＮシーケンスの例には、ｍ−シーケンス、コンピュータを介して生成されたシーケンス、ゴールド(Ｇｏｌｄ)シーケンス、カサミ(Ｋａｓａｍｉ)シーケンスなどがある。また、参照信号シーケンスは、循環シフトされたシーケンス(ｃｙｃｌｉｃａｌｌｙ ｓｈｉｆｔｅｄ ｓｅｑｕｅｎｃｅ)を利用することができる。
【００９０】
ダウンリンク参照信号は、セル特定参照信号(ｃｅｌｌ−ｓｐｅｃｉｆｉｃ ＲＳ、ＣＲＳ)、ＭＢＳＦＮ(ｍｕｌｔｉｍｅｄｉａ ｂｒｏａｄｃａｓｔ ａｎｄ ｍｕｌｔｉｃａｓｔ ｓｉｎｇｌｅ ｆｒｅｑｕｅｎｃｙ ｎｅｔｗｏｒｋ)参照信号、端末特定参照信号(ＵＥ−ｓｐｅｃｉｆｉｃ ＲＳ、ＵＲＳ)、ポジショニング参照信号(ｐｏｓｉｔｉｏｎｉｎｇ ＲＳ、ＰＲＳ)、及びＣＳＩ参照信号(ＣＳＩ−ＲＳ)に区分することができる。ＣＲＳは、セル内の全てのＵＥに送信される参照信号であって、ＣＱＩフィードバックに対するチャネル測定とＰＤＳＣＨに対するチャネル推定に使うことができる。ＭＢＳＦＮ参照信号は、ＭＢＳＦＮ送信のために割り当てられたサブフレームで送信することができる。ＵＲＳは、セル内の特定ＵＥまたは特定ＵＥグループが受信する参照信号であって、復調参照信号(ｄｅｍｏｄｕｌａｔｉｏｎ ＲＳ、ＤＭ−ＲＳ)とも呼ばれる。ＤＭ−ＲＳは、特定ＵＥまたは特定ＵＥグループがデータ復調に主に使われる。ＰＲＳは、ＵＥの位置推定に使うことができる。ＣＳＩ−ＲＳは、ＬＴＥ−Ａ ＵＥのＰＤＳＣＨに対するチャネル推定に使われる。ＣＳＩ−ＲＳは、周波数領域または時間領域で比較的まばらに(ｓｐａｒｓｅ)配置され、一般サブフレームまたはＭＢＳＦＮサブフレームのデータ領域では省略(ｐｕｎｃｔｕｒｅｄ)することができる。
【００９１】
図８は、基地局が一つのアンテナポートを使用する場合、ＣＲＳがＲＢにマッピングされるパターンの一例を示す。
【００９２】
図８を参照すると、Ｒ０は、基地局のアンテナポート番号０により送信されるＣＲＳがマッピングされるＲＥを示す。
【００９３】
ＣＲＳは、ＰＤＳＣＨ送信をサポートするセル内の全てのダウンリンクサブフレームで送信される。ＣＲＳは、アンテナポート０乃至３上に送信することができ、ＣＲＳは、Δｆ＝１５ｋＨｚに対してのみ定義することができる。セルＩＤ(ｉｄｅｎｔｉｔｙ)に基づくシード(ｓｅｅｄ)値で生成された疑似ランダムシーケンス(ｐｓｅｕｄｏ−ｒａｎｄｏｍ ｓｅｑｕｅｎｃｅ)ｒl,ns(ｍ)を複素数値変調シンボル(ｃｏｍｐｌｅｘ−ｖａｌｕｅｄ ｍｏｄｕｌａｔｉｏｎ ｓｙｍｂｏｌ)ａ(p)k,lでリソースマッピングする。ここで、ｎsは一つの無線フレーム内のスロット番号であり、ｐはアンテナポートであり、ｌ（エル）はスロット内のＯＦＤＭシンボル番号である。ｋは副搬送波インデックスである。ｌ及びｋは、以下の数式６のように表現される。
【００９４】
【数６】
2015528661.tif 000008
【００９５】
前記数式６において、ｐはアンテナポートを示し、ｎsはスロット番号０または１を示す。
【００９６】
ｋは、セルＩＤ(ＮCellID)によって、６個のシフトされたインデックスを有する。したがって、６の倍数である０、６、１２…のセルＩＤを有するセルは、互いに同じ副搬送波位置ｋでＣＲＳを送信する。
【００９７】
前記数式６に示すｌ（エル）は、アンテナポートｐによって決定され、可能なｌの値は、０、４、７、１１である。したがって、ＣＲＳは、０、４、７、１１のシンボル上で送信される。
【００９８】
一つのアンテナポートのＣＲＳに割り当てられたリソース要素(ＲＥ)は、他のアンテナポートの送信に使うことができず、ゼロ(ｚｅｒｏ)に設定されなければならない。また、ＭＢＳＦＮ(ｍｕｌｔｉｃａｓｔ−ｂｒｏａｄｃａｓｔ ｓｉｎｇｌｅ ｆｒｅｑｕｅｎｃｙ ｎｅｔｗｏｒｋ)サブフレームで、ＣＲＳは、ｎｏｎ−ＭＢＳＦＮ領域でのみ送信される。
【００９９】
図９ａは、測定及び測定報告手順を示す。
【０１００】
移動通信システムにおいて、ＵＥ１００の移動性(ｍｏｂｉｌｉｔｙ)サポートは必須である。したがって、ＵＥ１００は、現在サービスを提供するサービングセル(ｓｅｒｖｉｎｇ ｃｅｌｌ)に対する品質及び隣接セルに対する品質を持続的に測定する。ＵＥ１００は、測定結果を適切な時間にネットワークに報告し、ネットワークは、ハンドオーバなどを介してＵＥに最適の移動性を提供する。一般的に、このような目的の測定を無線リソース管理測定(ｒａｄｉｏ ｒｅｓｏｕｒｃｅ ｍａｎａｇｅｍｅｎｔ：ＲＲＭ)という。
【０１０１】
一方、ＵＥ１００は、ＣＲＳに基づいてプライマリセル(Ｐｃｅｌｌ)のダウンリンク品質をモニタリングする。これをＲＬＭ(Ｒａｄｉｏ Ｌｉｎｋ Ｍｏｎｉｔｏｒｉｎｇ)という。ＲＬＭのために、ＵＥ１００は、ダウンリンク品質を推定し、前記推定されたダウンリンク品質を閾値、例えば、Ｑｏｕｔ及びＱｉｎと比較する。前記閾値Ｑｏｕｔは、ダウンリンクが安定的に受信することができないレベルに定義され、これはＰＣＦＩＣＨエラーを考慮してＰＤＣＣＨ送信の１０％エラーに該当する。前記閾値Ｑｉｎは、ダウンリンクをＱｏｕｔに比べて著しく受信することができる水準に定義され、これはＰＣＦＩＣＨエラーを考慮してＰＤＣＣＨ送信の２％エラーに該当する。
【０１０２】
図９ａを参照して分かるように、前記サービングセル２００ａ及び隣接セル２００ｂがＵＥ１００に各々ＣＲＳ(Ｃｅｌｌ−ｓｐｅｃｉｆｉｃ Ｒｅｆｅｒｅｎｃｅ Ｓｉｇｎａｌ)を送信すると、前記ＵＥ１００は、前記ＣＲＳを介して測定を実行し、その測定結果を含むＲＲＣ測定報告メッセージをサービングセル２００ａに送信する。
【０１０３】
このとき、ＵＥ１００は、以下の三つの方法により測定を実行することができる。
【０１０４】
１)ＲＳＲＰ(ｒｅｆｅｒｅｎｃｅ ｓｉｇｎａｌ ｒｅｃｅｉｖｅｄ ｐｏｗｅｒ)：全帯域にわたって送信されるＣＲＳを伝送する全てのＲＥの平均受信電力を示す。このとき、ＣＲＳの代わりにＣＳＩ ＲＳを伝送する全てのＲＥの平均受信電力を測定することもできる。
【０１０５】
２)ＲＳＳＩ(ｒｅｃｅｉｖｅｄ ｓｉｇｎａｌ ｓｔｒｅｎｇｔｈ ｉｎｄｉｃａｔｏｒ)：全帯域で測定された受信電力を示す。ＲＳＳＩは、信号、干渉(ｉｎｔｅｒｆｅｒｅｎｃｅ)、熱雑音(ｔｈｅｒｍａｌ ｎｏｉｓｅ)を全て含む。
【０１０６】
３)ＲＳＲＱ(ｒｅｆｅｒｅｎｃｅ ｓｙｍｂｏｌ ｒｅｃｅｉｖｅｄ ｑｕａｌｉｔｙ)：ＣＱＩを示し、測定帯域幅(ｂａｎｄｗｉｄｔｈ)またはサブバンドによるＲＳＲＰ/ＲＳＳＩにより決定することができる。即ち、ＲＳＲＱは、信号対雑音干渉比(ＳＩＮＲ；ｓｉｇｎａｌ−ｔｏ−ｎｏｉｓｅ ｉｎｔｅｒｆｅｒｅｎｃｅ ｒａｔｉｏ)を意味する。ＲＳＲＰは、十分な移動性(ｍｏｂｉｌｉｔｙ)情報を提供することができないため、ハンドオーバまたはセル再選択(ｃｅｌｌ ｒｅｓｅｌｅｃｔｉｏｎ)過程ではＲＳＲＰの代わりにＲＳＲＱを使うことができる。
【０１０７】
ＲＳＲＱ＝ＲＳＳＩ/ＲＳＳＰとして算出することができる。
【０１０８】
一方、ＵＥ１００は、前記測定のために前記サービングセル(１００ａ)から測定設定(ｍｅａｓｕｒｅｍｅｎｔ ｃｏｎｆｉｇｕｒａｔｉｏｎ)情報エレメント(ＩＥ：Ｉｎｆｏｒｍａｔｉｏｎ Ｅｌｅｍｅｎｔ)を受信する。測定設定情報エレメント(ＩＥ)を含むメッセージを測定設定メッセージという。ここで、前記測定設定情報エレメント(ＩＥ)は、ＲＲＣ接続再設定メッセージを介して受信することもできる。ＵＥは、測定結果が測定設定情報内の報告条件を満たす場合、測定結果を基地局に報告する。測定結果を含むメッセージを測定報告メッセージという。
【０１０９】
前記測定設定ＩＥは、測定オブジェクト(Ｍｅａｓｕｒｅｍｅｎｔ ｏｂｊｅｃｔ)情報を含むことができる。前記測定オブジェクト情報は、ＵＥが測定を実行するオブジェクトに対する情報である。測定オブジェクトは、セル内測定の対象であるｉｎｔｒａ−ｆｒｅｑｕｅｎｃｙ測定対象、セル間測定の対象であるｉｎｔｅｒ−ｆｒｅｑｕｅｎｃｙ測定対象、及びｉｎｔｅｒ−ＲＡＴ測定の対象であるｉｎｔｅｒ−ＲＡＴ測定対象のうち少なくともいずれか一つを含む。例えば、ｉｎｔｒａ−ｆｒｅｑｕｅｎｃｙ測定対象は、サービングセルと同じ周波数バンドを有する周辺セルを指示し、ｉｎｔｅｒ−ｆｒｅｑｕｅｎｃｙ測定対象は、サービングセルと異なる周波数バンドを有する周辺セルを指示し、ｉｎｔｅｒ−ＲＡＴ測定対象は、サービングセルのＲＡＴと異なるＲＡＴの周辺セルを指示することができる。
【０１１０】
具体的に、前記測定設定ＩＥは、以下の表のようなＩＥ(情報エレメント)を含む。
【０１１１】
【表１】
2015528661.tif 000009
【０１１２】
前記Ｍｅａｓｕｒｅｍｅｎｔ ｏｂｊｅｃｔｓ ＩＥ内には、除去されるｍｅａｓＯｂｊｅｃｔのリストを示すｍｅａｓＯｂｊｅｃｔＴｏＲｅｍｏｖｅＬｉｓｔと、新たに追加され、または修正されるリストを示すｍｅａｓＯｂｊｅｃｔＴｏＡｄｄＭｏｄＬｉｓｔとが含まれる。
【０１１３】
ｍｅａｓＯｂｊｅｃｔには、通信技術によって、ＭｅａｓＯｂｊｅｃｔＣＤＭＡ２０００、ＭｅａｓＯｂｊｅｃｔＥＵＴＲＡ、ＭｅａｓＯｂｊｅｃｔＧＥＲＡＮなどが含まれる。
【０１１４】
一方、ＭｅａｓＯｂｊｅｃｔＥＵＴＲＡ ＩＥは、Ｅ−ＵＴＲＡセル測定に対するイントラ周波数(ｉｎｔｒａ−ｆｒｅｑｕｅｎｃｙ)またはインター周波数(ｉｎｔｅｒ−ｆｒｅｑｕｅｎｃｙ)のために適用される情報を含む。ＭｅａｓＯｂｊｅｃｔＥＵＴＲＡ ＩＥを表で表せば、以下の通りである。
【０１１５】
【表２】
2015528661.tif 000010
【０１１６】
ＭｅａｓＯｂｊｅｃｔＥＵＴＲＡ ＩＥをより具体的に示すと、以下の通りである。
【０１１７】
【表３】
2015528661.tif 000011
【０１１８】
以上のように、ＭｅａｓＯｂｊｅｃｔＥＵＴＲＡ ＩＥは、隣接セルの設定情報(即ち、ＮｅｉｇｈＣｅｌｌＣｏｎｆｉｇ)と、隣接セルに対してＲＳＲＰ及びＲＳＲＱの測定に適用される時間ドメイン測定リソース制限パターン(Ｔｉｍｅ ｄｏｍａｉｎ ｍｅａｓｕｒｅｍｅｎｔ ｒｅｓｏｕｒｃｅ ｒｅｓｔｉｒｃｔｉｏｎ ｐａｔｔｅｒｎ)(即ち、ｍｅａｓＳｕｂｆｒａｍｅＰａｔｔｅｒｎＮｅｉｇｈ)と、そのパターンが適用されるセルリスト(即ち、ｍｅａｓＳｕｂｆｒａｍｅＣｅｌｌＬｉｓｔ)とを含む。
【０１１９】
一方、ＵＥ１００は、図示されているように、無線リソース設定(Ｒａｄｉｏ Ｒｅｓｏｕｒｃｅ Ｃｏｎｆｉｇｕｒａｔｉｏｎ)情報エレメント(ＩＥ)も受信する。
【０１２０】
前記無線リソース設定(Ｒａｄｉｏ Ｒｅｓｏｕｒｃｅ Ｃｏｎｆｉｇｕｒａｔｉｏｎ Ｄｅｄｉｃａｔｅｄ)情報エレメント(ＩＥ：Ｉｎｆｏｒｍａｔｉｏｎ Ｅｌｅｍｅｎｔ)は、無線ベアラ(Ｒａｄｉｏ Ｂｅａｒｅｒ)を設定/修正/解除し、またはＭＡＣ構成を修正する等のために使われる。前記無線リソース設定ＩＥは、サブフレームパターン情報を含む。前記サブフレームパターン情報は、プライマリセル(即ち、Ｐｒｉｍａｒｙ Ｃｅｌｌ：ＰＣｅｌｌ)に対するＲＳＲＰ、ＲＳＲＱを測定することに対する時間ドメイン上の測定リソース制限パターンに対する情報である。
【０１２１】
前記無線リソース設定(Ｒａｄｉｏ Ｒｅｓｏｕｒｃｅ Ｃｏｎｆｉｇｕｒａｔｉｏｎ)ＩＥは、以下の表のようなフィールドを含む。
【０１２２】
【表４】
2015528661.tif 000012
【０１２３】
前記ＲａｄｉｏＲｅｓｏｕｒｃｅＣｏｎｆｉｇＤｅｄｉｃａｔｅｄフィールドは、下記のような因子を含む。
【０１２４】
【表５】
2015528661.tif 000013
【０１２５】
以上で説明したように、ＲａｄｉｏＲｅｓｏｕｒｃｅＣｏｎｆｉｇＤｅｄｉｃａｔｅｄフィールド内には、プライマリセル(ＰＣｅｌｌ)(即ち、１次セル)(または、サービングセル)に対する測定(ＲＳＲＰ、ＲＳＲＱ)を実行することに対する時間ドメイン測定リソース制限パターンを示すｍｅａｓＳｕｂｆｒａｍｅＰａｔｔｅｒｎＰＣｅｌｌまたはｍｅａｓＳｕｂｆｒａｍｅＰａｔｔｅｒｎ−Ｓｅｒｖが含まれている。
【０１２６】
図９ｂは、チャネル状態情報報告手順を示す。
【０１２７】
チャネル状態情報(ＣＳＩ：Ｃｈａｎｎｅｌ Ｓｔａｔｅ Ｉｎｆｏｒｍａｔｉｏｎ)は、ダウンリンクチャネルの状態を示す指標であり、ＣＳＩ−ＲＳに対するＣＱＩ(Ｃｈａｎｎｅｌ Ｑｕａｌｉｔｙ Ｉｎｄｉｃａｔｏｒ)及びＰＭＩ(Ｐｒｅｃｏｄｉｎｇ Ｍａｔｒｉｘ Ｉｎｄｉｃａｔｏｒ)のうち少なくともいずれか一つを含むことができる。また、ＰＴＩ(ｐｒｅｃｏｄｉｎｇ ｔｙｐｅ ｉｎｄｉｃａｔｏｒ)、ＲＩ(ｒａｎｋ ｉｎｄｉｃａｔｉｏｎ)などが含まれることもできる。
【０１２８】
ＣＱＩは、与えられた時間に対して端末がサポートできるリンク適応的なパラメータに対する情報を提供する。ＣＱＩは、端末受信機の特性及びＳＩＮＲ(ｓｉｇｎａｌ ｔｏ ｉｎｔｅｒｆｅｒｅｎｃｅ ｐｌｕｓ ｎｏｉｓｅ ｒａｔｉｏ)などを考慮してダウンリンクチャネルによりサポートすることができるデータ率(ｄａｔａ ｒａｔｅ)を指示することができる。基地局は、ＣＱＩを利用してダウンリンクチャネルに適用される変調(ＱＰＳＫ、１６−ＱＡＭ、６４−ＱＡＭ等)及びコーディング率を決定することができる。ＣＱＩは、多様な方法により生成することができる。例えば、チャネル状態をそのまま量子化してフィードバックする方法、ＳＩＮＲ(ｓｉｇｎａｌ ｔｏ ｉｎｔｅｒｆｅｒｅｎｃｅ ｐｌｕｓ ｎｏｉｓｅ ｒａｔｉｏ)を計算してフィードバックする方法、ＭＣＳ(Ｍｏｄｕｌａｔｉｏｎ Ｃｏｄｉｎｇ Ｓｃｈｅｍｅ)のようにチャネルに実際に適用される状態を知らせる方法などがある。ＣＱＩがＭＣＳに基づいて生成される場合、ＭＣＳは、変調方式と、符号化方式及びこれによる符号化率(ｃｏｄｉｎｇ ｒａｔｅ)等を含む。
【０１２９】
ＰＭＩは、コードブックに基づいているプリコーディングでプリコーディング行列に対する情報を提供する。ＰＭＩは、ＭＩＭＯ(ｍｕｌｔｉｐｌｅ ｉｎｐｕｔ ｍｕｌｔｉｐｌｅ ｏｕｔｐｕｔ)と関連する。ＭＩＭＯにおいて、ＰＭＩがフィードバックされることを閉ループＭＩＭＯ(ｃｌｏｓｅｄ ｌｏｏｐ ＭＩＭＯ)という。
【０１３０】
ＲＩは、端末が推薦するレイヤの数に対する情報である。即ち、ＲＩは、空間多重化に使われる独立的なストリームの数を示す。ＲＩは、端末が空間多重化を使用するＭＩＭＯモードで動作する場合にのみフィードバックされる。ＲＩは、常に一つ以上のＣＱＩフィードバックと関連する。即ち、フィードバックされるＣＱＩは、特定のＲＩ値を仮定して計算される。チャネルのランク(ｒａｎｋ)は、一般的にＣＱＩより遅く変化するため、ＲＩは、ＣＱＩより少ない回数でフィードバックされる。ＲＩの送信周期は、ＣＱＩ/ＰＭＩ送信周期の倍数である。ＲＩは、全体システム帯域に対して与えられ、周波数選択的なＲＩフィードバックはサポートされない。
【０１３１】
ＵＥ１００は、ＣＳＩを周期的または非周期的にサービングセルに送信できる。
【０１３２】
一方、前記サービングセルは、ＣＳＩに対する設定情報を前記ＵＥ１００に送信できる。前記設定情報は、ｃｓｉ−ｓｕｂｆｒａｍｅＰａｔｔｅｒｎＣｏｎｆｉｇを含むことができる。ｃｓｉ−ｓｕｂｆｒａｍｅＰａｔｔｅｒｎＣｏｎｆｉｇは、ｃｓｉ−ＭｅａｓＳｕｂｆｒａｍｅＳｅｔ１(または、ｃｓｉＳｅｔ１Ｐａｔｔｅｒｎ)またはｃｓｉ−ＭｅａｓＳｕｂｆｒａｍｅＳｅｔ２(または、ｃｓｉＳｅｔ２Ｐａｔｔｅｒｎ)を含むことができる。前記ｃｓｉ−ＭｅａｓＳｕｂｆｒａｍｅＳｅｔ１(または、ｃｓｉＳｅｔ１Ｐａｔｔｅｒｎ)は、後述するＡＢＳ(Ａｌｍｏｓｔ Ｂｌａｎｋ Ｓｕｂｆｒａｍｅ)に該当するサブフレームのサブセットを指示し、前記ｃｓｉ−ＭｅａｓＳｕｂｆｒａｍｅＳｅｔ２(または、ｃｓｉＳｅｔ２Ｐａｔｔｅｒｎ)は、ＡＢＳでない一般(ｎｏｎ−ＡＢＳ)サブフレームのサブセットを指示する。前記ｃｓｉ−ｓｕｂｆｒａｍｅＰａｔｔｅｒｎＣｏｎｆｉｇが解除(ｒｅｌｅａｓｅ)されると、ＡＢＳサブフレーム上での測定結果と一般(ｎｏｎ−ＡＢＳ)サブフレーム上での測定結果の平均を使用することを意味する。
【０１３３】
図１０は、セル間の干渉問題を示す例示図である。
【０１３４】
図１０を参照して分かるように、ＵＥ１００が第１のセル２００ａのカバレッジと第２のセル２００ｂのカバレッジの重なり地域に位置する場合、第１のセル２００ａの信号は、第２のセル２００ｂの信号に干渉として作用し、第２のセル２００ｂの信号は、第１のセル２００ａの信号に干渉として作用する。
【０１３５】
このような干渉問題を解決する最も根本的な方法は、セル間に周波数を互いに異なるように使用することである。しかし、周波数は、希少で且つ高値なリソースであるため、事業者には周波数分割を介した解決方法がそれほど歓迎されなかった。
【０１３６】
したがって、３ＧＰＰでは、このようなセル間の干渉(ｉｎｔｅｒ−ｃｅｌｌ ｉｎｔｅｒｆｅｒｅｎｃｅ)問題を時間分割により解決しようとした。
【０１３７】
それによって、最近、３ＧＰＰでは、干渉協力方法の一つとして、ｅＩＣＩＣ(ｅｎｈａｎｃｅｄ ｉｎｔｅｒ−ｃｅｌｌ ｉｎｔｅｒｆｅｒｅｎｃｅ ｃｏｏｒｄｉｎａｔｉｏｎ)に対する活発な研究が進行されている。
【０１３８】
ＬＴＥ Ｒｅｌｅａｓｅ−１０に導入された時間分割方式は、既存の周波数分割方式と比べて進化したという意味でｅｎｈａｎｃｅｄ ＩＣＩＣ(Ｅｎｈａｎｃｅｄ ｉｎｔｅｒ−ｃｅｌｌ ｉｎｔｅｒｆｅｒｅｎｃｅ Ｃｏｏｒｄｉｎａｔｉｏｎ)と呼ばれ、干渉を起こすセルを各々アグレッサセル(Ａｇｇｒｅｓｓｏｒ ｃｅｌｌ)またはプライマリセル(Ｐｒｉｍａｒｙ Ｃｅｌｌ)と定義し、干渉を受けるセルをビクティムセル(Ｖｉｃｔｉｍ ｃｅｌｌ)またはセカンダリセル(Ｓｅｃｏｎｄａｒｙ Ｃｅｌｌ)と定義し、特定サブフレームでは、アグレッサセル(Ａｇｇｒｅｓｓｏｒ ｃｅｌｌ)またはプライマリセルがデータ送信を中止し、ＵＥが該当サブフレームでビクティムセル(Ｖｉｃｔｉｍ ｃｅｌｌ)またはセカンダリセルと接続を維持することができるようにする方法である。即ち、この方法は、異種のセルが共存する場合、ある領域で相当高い干渉を受けるＵＥに対し、片方のセルが信号の送信をしばらく中止することによって干渉信号をほぼ送らない。
【０１３９】
一方、前記データ送信が中止される特定サブフレームをＡＢＳ(Ａｌｍｏｓｔ Ｂｌａｎｋ Ｓｕｂｆｒａｍｅ)といい、前記ＡＢＳに該当するサブフレームでは、必ず必要な制御情報外には何らのデータも送信されない。前記必ず必要な制御情報は、例えば、ＣＲＳである。したがって、ＡＢＳが適用されたサブフレーム上では、データは送信されず、０、４、７、１１番のシンボル上でＣＲＳ信号のみが送信される。
【０１４０】
図１１ａは、基地局間干渉を解決するためのｅＩＣＩＣ(ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)を示す例示図である。
【０１４１】
図１１ａを参照すると、第１のセル２００ａは、図示されたサブフレームのデータ領域でデータ送信を実行する。
【０１４２】
このとき、第２のセル２００ｂは、干渉を解決するために、ｅＩＣＩＣを適用する。即ち、前記ｅＩＣＩＣが適用される場合、該当サブフレームは、ＡＢＳによって運用されることで、データ領域では何らのデータも送信されない。
【０１４３】
ただし、ＡＢＳによって運用されるサブフレームでは、０、４、７、１１番のシンボル上でＣＲＳのみを送信することができる。
【０１４４】
図１１ｂは、ＡＢＳサブフレーム関連情報を交換する例を示す。
【０１４５】
図１１ｂを参照して分かるように、Ｘ２インターフェースを介してＡＢＳ関連情報が前記第１のｅＮｏｄｅＢ２００ａと第２のｅＮｏｄｅＢ２００ｂとの間に各々交換されることができる。
【０１４６】
また、前記第１のｅＮｏｄｅＢ２００ａと第２のｅＮｏｄｅＢ２００ｂは、自分のサービングＵＥ１００ａ/１００ｂに各々前記ＡＢＳ関連情報を伝送することができる。
【０１４７】
前記第１のｅＮｏｄｅＢ２００ａと第２のｅＮｏｄｅＢ２００ｂは、各々、自分のＡＢＳ関連情報及び相手方のＡＢＳ関連情報のうち一つ以上に基づき、自分のサービングＵＥ１００ａ/１００ｂのための測定サブセットを設定した後、伝送することができる。
【０１４８】
ＡＢＳに設定されたダウンリンクサブフレーム上では、該当セル２００ａ/２００ｂがダウンリンク信号送信を全くしない、または減少された電力でダウンリンク信号を送信するため、ＡＢＳに設定されないダウンリンクサブフレームに比べて、他のセルのカバレッジ内に及ぼす干渉の大きさを小さくすることができる。このように、該当サブフレームがＡＢＳに設定されたかどうかによって干渉の大きさを変えることができるため、ＵＥ１００は、予め指定された特定サブフレーム上でのみ測定を実行する。
【０１４９】
そのために、各セル２００ａ/２００ｂは、自分のＡＢＳパターン情報及び相手方のＡＢＳパターン情報のうち一つ以上に基づき、自分のサービングＵＥ１００ａ/１００ｂに特定サブフレーム上でのみ測定を実行するように指示することができる。これを制限された測定(ｒｅｓｔｒｉｃｔｅｄ ｍｅａｓｕｒｅｍｅｎｔ)という。前記指示は、上位階層シグナルを介して伝送することができる。前記上位階層シグナルは、ＲＲＣシグナルである。前記シグナルは、ＣＱＩ−ＲｅｐｏｒｔＣｏｎｆｉｇエレメントである。
【０１５０】
前記ＡＢＳ関連情報は、ＡＢＳ情報とＡＢＳ状態を含む。
【０１５１】
まず、ＡＢＳ情報は、例示的に以下の表に示す情報エレメントのうち一つ以上を含むことができる。ＡＢＳパターン情報は、ＡＢＳとして使用するサブフレームをビットマップで表した情報であり、ＦＤＤでは、４０ビットのビットマップで構成され、ＴＤＤの場合、最大７０ビットのビットマップで構成されることができる。例えば、ＦＤＤにおいて、４０ビットは、４０個のサブフレームを示し、ビット値が１の場合は、ＡＢＳを示し、０の場合は、ＡＢＳでない(ｎｏｎ−ＡＢＳ)一般サブフレームを示す。測定サブセットは、ＡＢＳパターン情報のサブセットであり、ＦＤＤは４０ビットのビットマップからなり、ＴＤＤは最大７０ビットのビットマップからなる。このような測定サブセットは、該当ＵＥに制限された測定を設定するためのものである。
【０１５２】
【表６】
2015528661.tif 000014
【０１５３】
次に、ＡＢＳ状態は、該当セルがＡＢＳパターンを変えなければならないかどうかを決定することができるようにするために使われる。利用可能なＡＢＳパターン情報は、ＡＢＳパターン情報のサブセットであり、ビットマップからなる。このような利用可能なＡＢＳパターン情報は、ＡＢＳに指定されたサブフレームが干渉緩和のための目的として正確に使われたかどうかを示す。ダウンリンクＡＢＳ状態は、利用可能なＡＢＳパターン情報で指示されたサブフレームでスケジューリングされたダウンリンクリソースブロック(ＲＢ)の個数と、それらのうちＡＢＳを介して保護されなければならないＵＥのために割り当てられたリソースブロック(ＲＢ)の割合であり、ＡＢＳをビクティムセルで本然の目的に合うようにどれほど効率的に活用したかどうかに対する情報を示す。
【０１５４】
【表７】
2015528661.tif 000015
【０１５５】
前記ＡＢＳパターン情報のサブセットで構成される測定サブセットは、ＡＢＳとして使われるサブフレームであり、ＡＢＳパターンに含まれるその他のサブフレームは、該当セルがトラフィック負荷によって、自律的にＡＢＳとして活用するかどうかを決定することができる。
【０１５６】
以上のように、セル間の干渉(ｉｎｔｅｒ−ｃｅｌｌ ｉｎｔｅｒｆｅｒｅｎｃｅ)問題をｅＩＣＩＣ技法を用いて解決すること以外に、ＵＥ１００に干渉除去機能を追加する方案がある。以下、干渉除去機能を追加する方案に対して説明する。
【０１５７】
図１２は、ＵＥの構造を例示的に示すブロック図である。
【０１５８】
ＬＴＥ(Ｌｏｎｇ−Ｔｅｒｍ Ｅｖｏｌｕｔｉｏｎ)またはＬＴＥ−Ａにおいて、ダウンリンクではＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)が使われるが、アップリンクではＯＦＤＭと類似しているＳＣ(Ｓｉｎｇｌｅ−Ｃａｒｒｉｅｒ)−ＦＤＭＡが使われる。
【０１５９】
ＳＣ−ＦＤＭＡは、ＤＦＴ−ｓ ＯＦＤＭ(ＤＦＴ−ｓｐｒｅａｄ ＯＦＤＭ)とも呼ばれる。ＳＣ−ＦＤＭＡ送信方式を利用する場合、電力増幅器(ｐｏｗｅｒ ａｍｐｌｉｆｉｅｒ)の非線形(ｎｏｎ−ｌｉｎｅａｒ)歪曲区間を避けることができ、したがって、電力消耗が制限されたＵＥで送信電力効率を高めることができる。それによって、ユーザスループット(ｕｓｅｒ ｔｈｒｏｕｇｈｐｕｔ)を高めることができる。
【０１６０】
ＳＣ−ＦＤＭＡもＦＦＴ(Ｆａｓｔ Ｆｏｕｒｉｅｒ Ｔｒａｎｓｆｏｒｍ)とＩＦＦＴ(Ｉｎｖｅｒｓｅ−ＦＦＴ)を使用して副搬送波に分けて信号を伝送するという点で、ＯＦＤＭと相当類似している。しかし、既存のＯＦＤＭ送信機における問題点は、周波数軸上の各副搬送波に乗せていた信号がＩＦＦＴにより時間軸の信号に変換されるということである。即ち、ＩＦＦＴが並列の同じ演算が実行される形態であるため、ＰＡＰＲ(Ｐｅａｋ ｔｏ Ａｖｅｒａｇｅ Ｐｏｗｅｒ Ｒａｔｉｏ)の増加が発生する。このようなＰＡＰＲの増加を防止するために、ＳＣ−ＦＤＭＡは、ＯＦＤＭと違って、ＤＦＴ拡散(ｓｐｒｅａｄｉｎｇ)後、ＩＦＦＴを実行する。即ち、ＤＦＴ拡散(ｓｐｒｅａｄｉｎｇ)後、ＩＦＦＴが実行される送信方式をＳＣ−ＦＤＭＡという。したがって、ＳＣ−ＦＤＭＡは、同じ意味でＤＦＴ ｓｐｒｅａｄ ＯＦＤＭ(ＤＦＴ−ｓ ＯＦＤＭ)とも呼ばれる。
【０１６１】
このような、ＳＣ−ＦＤＭＡの長所は、ＯＦＤＭと類似の構造を有することによって多重経路チャネルに対するロバスト性を得ると同時に、既存のＯＦＤＭがＩＦＦＴ演算を介してＰＡＰＲが増加する短所を根本的に解決することによって効率的な電力増幅器の使用を可能にした。
【０１６２】
図１２を参照すると、ＵＥ１００は、ＲＦ部１１０を含む。前記ＲＦ部１１０は、送信部１１１と受信部１１２を含む。前記送信部１１１は、ＤＦＴ(Ｄｉｓｃｒｅｔｅ Ｆｏｕｒｉｅｒ Ｔｒａｎｓｆｏｒｍ)部１１１１、副搬送波マッパ１１１２、ＩＦＦＴ部１１１３及びＣＰ挿入部１１１４、無線送信部１１１５を含む。前記ＲＦ部１１０の送信部１１１は、例えば、スクランブルユニット(図示せず；ｓｃｒａｍｂｌｅ ｕｎｉｔ)、モジュレーションマッパ(図示せず；ｍｏｄｕｌａｔｉｏｎ ｍａｐｐｅｒ)、レイヤマッパ(図示せず；ｌａｙｅｒ ｍａｐｐｅｒ)及びレイヤパーミュテータ(図示せず；ｌａｙｅｒ ｐｅｒｍｕｔａｔｏｒ)をさらに含むことができ、これは前記ＤＦＴ部１１１１の前に配置することができる。即ち、前述したように、ＰＡＰＲの増加を防止するために、前記ＲＦ部１１０の送信部は、副搬送波に信号をマッピングする前に、情報をＤＦＴ部１１１１を経るようにする。ＤＦＴ部１１１１によりスプレッディング(ｓｐｒｅａｄｉｎｇ)(または、同じ意味でプリコーディング)された信号を副搬送波マッパ１１１２を介して副搬送波マッピングをした後、再びＩＦＦＴ(Ｉｎｖｅｒｓｅ Ｆａｓｔ Ｆｏｕｒｉｅｒ Ｔｒａｎｓｆｏｒｍ)部１１１３を経て時間軸上の信号で作る。
【０１６３】
即ち、ＤＦＴ部１１１１、副搬送波マッパ１１１２及びＩＦＦＴ部１１１３の相関関係によりＳＣ−ＦＤＭＡではＩＦＦＴ部１１１３以後の時間領域信号のＰＡＰＲ(ｐｅａｋ−ｔｏ−ａｖｅｒａｇｅ ｐｏｗｅｒ ｒａｔｉｏ)が、ＯＦＤＭと違って、大きく増加せず送信電力効率の側面で有利になる。即ち、ＳＣ−ＦＤＭＡでは、ＰＡＰＲまたはＣＭ(ｃｕｂｉｃ ｍｅｔｒｉｃ)を低くすることができる。
【０１６４】
ＤＦＴ部１１１１は、入力されるシンボルにＤＦＴを実行して複素数シンボル(ｃｏｍｐｌｅｘ−ｖａｌｕｅｄ ｓｙｍｂｏｌ)を出力する。例えば、Ｎｔｘシンボルが入力されると(ただ、Ｎｔｘは自然数)、ＤＦＴ大きさ(ｓｉｚｅ)はＮｔｘである。ＤＦＴ部１１１１は、変換プリコーダ(ｔｒａｎｓｆｏｒｍ ｐｒｅｃｏｄｅｒ)とも呼ばれる。副搬送波マッパ１１１２は、前記複素数シンボルを周波数領域の各副搬送波にマッピングさせる。前記複素数シンボルは、データ送信のために割り当てられたリソースブロックに対応するリソース要素にマッピングすることができる。副搬送波マッパ１１１２は、リソースマッパ(ｒｅｓｏｕｒｃｅ ｅｌｅｍｅｎｔ ｍａｐｐｅｒ)とも呼ばれる。ＩＦＦＴ部１１１３は、入力されるシンボルに対してＩＦＦＴを実行することで、時間領域信号であるデータのための基本帯域(ｂａｓｅｂａｎｄ)信号を出力する。ＣＰ挿入部１１１４は、データのための基本帯域信号の後部の一部を複写してデータのための基本帯域信号の前部に挿入する。ＣＰ挿入を介して、ＩＳＩ(Ｉｎｔｅｒ−Ｓｙｍｂｏｌ Ｉｎｔｅｒｆｅｒｅｎｃｅ)、ＩＣＩ(Ｉｎｔｅｒ−Ｃａｒｒｉｅｒ Ｉｎｔｅｒｆｅｒｅｎｃｅ)が防止されて多重経路チャネルでも直交性を維持することができる。
【０１６５】
一方、３ＧＰＰ分野では、ＬＴＥをより改善した、ＬＴＥ−Ａｄｖａｎｃｅｄの標準化が活発に進行しており、非連続的(ｎｏｎ−ｃｏｎｔｉｇｕｏｕｓ)なリソース割当を許容するクラスタ化された(ｃｌｕｓｔｅｒｅｄ)ＤＦＴ−ｓ ＯＦＤＭ方式が採択されたことがある。
【０１６６】
クラスタ化された(ｃｌｕｓｔｅｒｅｄ)ＤＦＴ−ｓ ＯＦＤＭ送信方式は、既存のＳＣ−ＦＤＭＡ送信方式の変形であり、プリコーダを経たデータシンボルを複数のサブブロックに分け、これを周波数領域で互いに分離させてマッピングする方法である。前記クラスタ化された(ｃｌｕｓｔｅｒｅｄ)ＤＦＴ−ｓ ＯＦＤＭ方式の重要な特徴は、周波数選択的なリソース割当を可能にすることによって、周波数選択的なフェーディング(ｆｒｅｑｕｅｎｃｙ ｓｅｌｅｃｔｉｖｅ ｆａｄｉｎｇ)環境に柔軟に対処することができるという点である。
【０１６７】
このとき、ＬＴＥ−Ａｄｖａｎｃｅｄのアップリンクアクセス方式として採択されたｃｌｕｓｔｅｒｅｄ ＤＦＴ−ｓ ＯＦＤＭ方式では、従来ＬＴＥのアップリンクアクセス方式であるＳＣ−ＦＤＭＡと違って、非連続的なリソース割当が許容されるため、送信されるアップリンクデータが複数個のクラスタ単位に分割することができる。
【０１６８】
即ち、ＬＴＥシステムは、アップリンクの場合、単一搬送波特性を維持するようになっており、それに対し、ＬＴＥ−Ａシステムでは、ＤＦＴ ｐｒｅｃｏｄｉｎｇしたデータを周波数軸に非連続的に割り当て、またはＰＵＳＣＨとＰＵＣＣＨが同時に送信する場合を許容している。
【０１６９】
他方、前記ＲＦ部１１０の受信部１１２は、無線受信部１１２１、ＣＰ除去部１１２２、ＦＦＴ部１１２３、そして干渉除去部１１２４などを含む。前記受信部の無線受信部１１２１、ＣＰ除去部１１２２、ＦＦＴ部１１２３は、前記送信部１１１における無線送信部１１１５、ＣＰ挿入部１１１４、ＩＦＦ部１１１３の逆機能を実行する。
【０１７０】
前記干渉除去部１１２４は、受信される信号に含まれている干渉を除去または緩和する。
【０１７１】
干渉除去部１１２４が追加された受信部１１２、即ち、ＩＣ(Ｉｎｔｅｒｆｅｒｅｎｃｅ Ｃａｎｃｅｌｌａｔｉｏｎ)受信部またはＩＲＣ(Ｉｎｔｅｒｆｅｒｅｎｃｅ Ｒｅｊｅｃｔｉｏｎ Ｃｏｍｂｉｎｅｒ)受信部は、概念的に、受信信号から干渉信号を差し引くことによって具現することができる。
【０１７２】
このとき、干渉除去部１１２４が追加された受信部の複雑度は、干渉除去の対象となるセルの最大個数と除去する信号の種類によって左右される。
【０１７３】
干渉除去の主対象信号は、ＣＲＳ(Ｃｅｌｌ−ｓｐｅｃｉｆｉｃ Ｒｅｆｅｒｅｎｃｅ Ｓｉｇｎａｌ)である。
【０１７４】
以上のように、干渉除去部１１２４を介して干渉を除去することをＦｅＩＣＩＣ(Ｆｕｒｔｈｅｒ Ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)という。
【０１７５】
図１３ａは、マクロセルと小規模セルを含む異種ネットワークを示す例示図であり、図１３ｂは、図１３ａに示す環境でＣＲＳが互いに衝突する例を示し、図１３ｃは、ネットワークがＵＥのＣＲＳ干渉除去をサポートする過程を示す。
【０１７６】
３ＧＰＰ ＬＴＥ−Ａをはじめとする次世代通信標準では、既存マクロセル２００と共に低電力送信パワーを有する小規模セル(例えば、ピコセル、フェムトセルまたはマイクロセル)が混在する異種ネットワークが論議されている。
【０１７７】
このような異種ネットワークでは、マクロセルと小規模セルが重なるため、セル間干渉の問題が一層深刻化する。
【０１７８】
具体的に、図１３ａを参照すると、ＵＥ１００のサービングセルであるマクロセル２００の周辺には第１の小規模セル３００ａと第２の小規模セル３００ｂが存在する。もし、ＵＥ１００が第１の小規模セル３００ａに移動中である場合、前記ＵＥ１００は、前記サービングセルであるマクロセル２００からＣＲＳを受信してＲＳＲＰを測定し、また、前記第１の小規模セル３００ａからＣＲＳを受信してＲＳＲＰを測定しなければならない。
【０１７９】
しかし、前記サービングセルであるマクロセル２００のＣＲＳと前記第２の小規模セル３００ｂのＣＲＳは、前記第１の小規模セル３００ａのＣＲＳに干渉を及ぼす。したがって、前記サービングセルであるマクロセル２００を第１のアグレッサセルと見て、前記第２の小規模セル３００ｂを第２のアグレッサセルと見て、前記第１の小規模セル３００ａをビクティムセルと見ることができる。
【０１８０】
しかし、例えば、前記サービングセルであるマクロセル２００のセルＩＤは０であり、前記第１の小規模セル３００ａのセルＩＤは６であり、前記第２の小規模セル３００ｂのセルＩＤは１であると仮定する。
【０１８１】
その場合、前記セルＩＤの０と６は、６の倍数であるため、前記数式６を参照して説明したように、前記サービングセルであるマクロセル２００と前記第１の小規模セル３００ａは、互いに同じ副搬送波位置ｋでＣＲＳを送信するため、ＣＲＳが互いに衝突するようになる。具体的に、図１３ｂを参照して分かるように、第１のサブフレームと第２のサブフレームが、前記第１の小規模セル３００ａによってはＡＢＳサブフレームでない一般サブフレームとして運用されるが、前記サービングセルに該当するマクロセル２００によってはＡＢＳサブフレームとして運用される場合も、前記サービングセルであるマクロセル２００と前記第１の小規模セル３００ａは、０、４、７、１１番のシンボル上の互いに同じ副搬送波位置ｋでＣＲＳを送信するため、互いに衝突するようになる。
【０１８２】
それに対し、前記第２の小規模セル３００ｂのセルＩＤは、１であって、６の倍数ではないため、前記第２の小規模セル３００ｂのＣＲＳは、いずれのセル(即ち、サービングセル及び第１の小規模セル)のＣＲＳとも衝突しないが、前記第２の小規模セル３００ｂのＣＲＳは、前記サービングセルであるマクロセル２００と前記第１の小規模セル３００ａのサブフレームのデータ領域に干渉を及ぼす。
【０１８３】
結局、前記ＵＥ１００がＣＲＳを正確に受信するためには、干渉除去機能を遂行しなければならない。しかし、このようにＣＲＳ干渉除去機能を遂行するためには干渉を引き起こすアグレッサセルのＣＲＳに対する情報を知っておかなければならない。もし、アグレッサセルのＣＲＳに対する情報を知らない場合、前記ＵＥ１００は、干渉除去実行のために、相当複雑な過程を実行しなければならないため非効率である。したがって、前記サービングセルであるマクロセル２００は、ＣＲＳ支援情報をＵＥ１００に伝送することができる。これを図１３ｃを参照して説明する。
【０１８４】
図１３ｃを参照すると、サービングセルに該当するマクロセル２００は、必要によって、上位階層による指示によって前記ＵＥ１００にＵＥ性能照会を要求する。
【０１８５】
前記ＵＥ１００は、前記要求によって、ＵＥ性能情報を提供する。即ち、前記ＵＥ１００は、ＵＥ性能照会に応答し、ｅＩＣＩＣ機能とＣＲＳ干渉除去(ＩＣ)機能(ｃａｐａｂｉｌｉｔｙ)があることをＵＥ性能情報を介してサービングセルであるマクロセル２００に知らせる。他方、前記ＵＥ１００は、自分のラジオアクセス性能が変更された場合、前記ＵＥ１００の上位階層は、前記サービングセル２００の上位階層に性能照会を要求することを指示することができる。
【０１８６】
前記サービングセル２００は、第１の小規模セル３００ａ及び第２の小規模セル３００ｂとの情報交換を介して、干渉を引き起こすアグレッサセル(ａｇｇｒｅｓｓｏｒ ｃｅｌｌ)であるかどうかを確認する。
【０１８７】
次に、前記サービングセル２００は、表１に示す測定設定ＩＥと表４に示す無線リソース設定ＩＥを前記ＵＥ１００に伝送する。このとき、前記サービングセル２００は、前記ＵＥ１００が前記ＣＲＳ干渉除去(ＩＣ)機能(ｃａｐａｂｉｌｉｔｙ)を有する場合、表５に示すＲａｄｉｏＲｅｓｏｕｒｃｅＣｏｎｆｉｇＤｅｄｉｃａｔｅｄフィールド外にも、ＣＲＳ支援情報(ＣＲＳ Ａｓｓｉｓｔａｎｃｅ Ｉｎｆｏ)をさらに伝送することができる。前記ＣＲＳ支援情報(ＣＲＳ Ａｓｓｉｓｔａｎｃｅ Ｉｎｆｏ)は、アグレッサセル(ａｇｇｒｅｓｓｏｒ ｃｅｌｌ)に対するリスト、即ち、測定を実行するセルのＣＲＳと衝突するＣＲＳを送信するセルのセルＩＤと、アグレッサセルのＣＲＳ情報を含む。
【０１８８】
前記ＵＥ１００は、前記受信された情報を確認する。即ち、前記受信された無線リソース設定ＩＥのｍｅａｓＳｕｂｆｒａｍｅＰａｔｔｅｒｎＰＣｅｌｌで指定されたサブフレーム上で、前記ＵＥ１００は、前記サービングセルであるマクロセル２００からＣＲＳを受信する時、前記第１の小規模セル３００ａ及び前記第２の小規模セル３００ｂからのＣＲＳによる干渉を除去し、ＲＳＲＰを測定する。また、前記受信された無線リソース設定ＩＥのｍｅａｓＳｕｂｆｒａｍｅＰａｔｔｅｒｎＮｅｉｇｈで指定されたサブフレーム上で、前記ＵＥ１００は、前記第１の小規模セル３００ａ及び前記第２の小規模セル３００ｂからＣＲＳを各々受信する時、前記サービングセルであるマクロセル２００からのＣＲＳによる干渉を除去し、ＲＳＲＰを測定する。
【０１８９】
しかし、ＲＳＲＰを測定するサブフレームがＡＢＳサブフレームか、または非(ｎｏｎ)−ＡＢＳサブフレームかによって、ＲＳＲＰ測定結果が変わることができるという問題点がある。
【０１９０】
また、前記ｍｅａｓＳｕｂｆｒａｍｅＰａｔｔｅｒｎＰＣｅｌｌで指定されたサブフレーム上で、干渉除去(ＩＣ)の実行可否が正確でないため、問題となる。同様に、前記ｍｅａｓＳｕｂｆｒａｍｅＰａｔｔｅｒｎＮｅｉｇｈで指定されたサブフレーム上で、干渉除去(ＩＣ)の実行可否が正確でないため、問題となる。
【０１９１】
したがって、このような問題点を解決するために、本発明者は、第１のテスト(シミュレーション)を介して測定性能を観察し、それに対する解決策を探した。
【０１９２】
<第１のテスト(シミュレーション)及びその結果による方案>
【０１９３】
本発明者は、測定性能を観察するために、第１のテスト(シミュレーション)を実行した。
【０１９４】
第１のテスト(シミュレーション)の実行条件は、下記の通りである。
【０１９５】
−前記ｍｅａｓＳｕｂｆｒａｍｅＰａｔｔｅｒｎＰＣｅｌｌとｍｅａｓＳｕｂｆｒａｍｅＰａｔｔｅｒｎＮｅｉｇｈで指定されたサブフレームで、ＣＲＳに対して干渉除去(ＩＣ)を実行したテストと干渉除去を実行しないテストを両方とも実行する。
【０１９６】
−前述したｃｓｉ−ＭｅａｓＳｕｂｆｒａｍｅＳｅｔ１(ｃｓｉＳｅｔ１Ｐａｔｔｅｒｎ)によるＡＢＳサブフレームでのみＣＲＳに対する干渉除去(ＩＣ)を実行してテストし、ｃｓｉ−ＭｅａｓＳｕｂｆｒａｍｅＳｅｔ２(ｃｓｉＳｅｔ２Ｐａｔｔｅｒｎ)による一般(ｎｏｎ−ＡＢＳ)サブフレームではＣＲＳに対する干渉除去(ＩＣ)を実行せずにテストする。
【０１９７】
−アグレッサセルによる干渉を緩和するためにのみＣＲＳに対する干渉除去(ＩＣ)を実行する。
【０１９８】
−ＲＬＭは、ｍｅａｓＳｕｂｆｒａｍｅＰａｔｔｅｒｎＰＣｅｌｌで指定されたサブフレームでのみ実行する。
【０１９９】
前記のような実行条件下での第１のテスト(シミュレーション)結果は、以下の表８で表した。
【０２００】
以下の表８において、Ａ１は第１のアグレッサセルを意味し、Ａ２は第２のアグレッサセルを意味し、Ｖはビクティムセルを意味し、Ｓはサービングセルを意味する。また、ｒｅ(ｒｉｇｈｔ ｅｓｔｉｍａｔｉｏｎ)は、測定が正確に実行されることを意味し、ｏｅ(ｏｖｅｒ ｅｓｔｉｍａｔｉｏｎ)は、過度な測定結果が現れることを意味し、ｕｅ(ｕｎｄｅｒ ｅｓｔｉｍａｔｉｏｎ)は、足りない（過少な）測定結果が現れることを意味する。そして、ＰｃｅｌｌＭｅａｓＰは、サービングセルに対して測定が実行されるサブフレームを示すｍｅａｓＳｕｂｆｒａｍｅＰａｔｔｅｒｎＰＣｅｌｌを意味し、ＮｃｅｌｌＭｅａｓＰは、隣接セルに対して測定が実行されるサブフレームを示すｍｅａｓＳｕｂｆｒａｍｅＰａｔｔｅｒｎＮｅｉｇｈを意味する。ｃｓｉＳｅｔ１は、ｃｓｉ−ＭｅａｓＳｕｂｆｒａｍｅＳｅｔ１(ｃｓｉＳｅｔ１Ｐａｔｔｅｒｎ)を意味し、ｃｓｉＳｅｔ２は、ｃｓｉ−ＭｅａｓＳｕｂｆｒａｍｅＳｅｔ２(ｃｓｉＳｅｔ２Ｐａｔｔｅｒｎ)を意味する。
【０２０１】
また、以下の表８において、ＡＢＳパターンは１１００であり、これは第１及び第２のサブフレームがＡＢＳサブフレームとして運用され、第３及び第４のサブフレームが一般(ｎｏｎ−ＡＢＳ)サブフレームとして運用されることを示す。また、スケジューラパターン(Ｓｃｈｅｄｕｌｅｒ Ｐａｔｔｅｒｎ)は００１１であり、これは第１及び第２のサブフレーム上ではスケジューリングが実行されなくてデータが送信されず、第３及び第４のサブフレーム上ではスケジューリングが実行されてデータが送信されることを意味する。
【０２０２】
また、以下の表８において、ＩＣは、ＣＲＳ干渉除去が実行されることを示し、ｎｏＩＣは、ＣＲＳ干渉除去が実行されないことを示す。
【０２０３】
【表８】
2015528661.tif 000016
【０２０４】
以上の表８から分かるように、テスト１では、ＰｃｅｌｌＭｅａｓＰ(即ち、ｍｅａｓＳｕｂｆｒａｍｅＰａｔｔｅｒｎＰＣｅｌｌ)が１１００であり、サービングセルに対して第１及び第２のサブフレーム上で測定を実行し、第３及び第４のサブフレーム上では測定を実行しなかった。また、テスト１では、ＮｃｅｌｌＭｅａｓＰ(即ち、ｍｅａｓＳｕｂｆｒａｍｅＰａｔｔｅｒｎＮｅｉｇｈ)も１１００であり、隣接セル(例えば、第１の小規模セル及び第２の小規模セル)に対し、第１及び第２のサブフレーム上で測定を実行し、第３及び第４のサブフレーム上では測定を実行しなかった。その結果、第１のアグレッサセル(即ち、サービングセル)に対するＲＳＲＰA1をみると、ＩＣが実行可能であるか否かに関係なしに測定が正確に実行され、表８にｒｅと記入されている。また、第２のアグレッサセル(即ち、第２の小規模セル３００ｂ)に対するＲＳＲＰA2をみると、ＩＣが実行可能であるか否かに関係なしに測定が正確に実行され、表８にｒｅと記入されている。また、ビクティムセル(即ち、第１の小規模セル３００ａ)に対するＲＳＲＰVをみると、ＩＣを実行する場合は、測定が正確に実行され、表８にｒｅと記入されているが、ＩＣを実行しない場合は、過度な測定結果が現れ、ｏｅと記入されている。一方、サービングセルに対するＲＬＭS(即ち、ＳＮＲ)をみると、ＩＣが実行可能であるか否かに関係なしに過度な測定結果が現れ、ｏｅと記入されている。また、チャネル状態情報(ＣＳＩ)をみると、ｃｓｉＳｅｔ２によって、ＡＢＳでない一般(ｎｏｎ−ＡＢＳ)サブフレーム上でのＣＳＩ測定が正確に実行され、ｒｅと記入されているが、ｒｅｌｅａｓｅによって、ＡＢＳサブフレームのＣＳＩ測定結果と一般サブフレームでのＣＳＩ測定結果を平均すると、過度な測定結果が現れ、ｏｅと記入されている。
【０２０５】
次に、テスト２では、以上の表８から分かるように、ＰｃｅｌｌＭｅａｓＰ(即ち、ｍｅａｓＳｕｂｆｒａｍｅＰａｔｔｅｒｎＰＣｅｌｌ)が１１００であり、サービングセルに対して第１及び第２のサブフレーム上で測定を実行し、第３及び第４のサブフレーム上では測定を実行しなかった。また、テスト２では、ＮｃｅｌｌＭｅａｓＰ(即ち、ｍｅａｓＳｕｂｆｒａｍｅＰａｔｔｅｒｎＮｅｉｇｈ)も００１１であり、隣接セル(例えば、第１の小規模セル及び第２の小規模セル)に対し、第１及び第２のサブフレーム上で測定を実行せず、第３及び第４のサブフレーム上では測定を実行した。そのテスト２の結果は、テスト１の結果と同じである。
【０２０６】
また、テスト３では、以上の表８から分かるように、ＰｃｅｌｌＭｅａｓＰ(即ち、ｍｅａｓＳｕｂｆｒａｍｅＰａｔｔｅｒｎＰＣｅｌｌ)が００１１であり、サービングセルに対し、第１及び第２のサブフレーム上で測定を実行せず、第３及び第４のサブフレーム上では測定を実行した。また、テスト３では、ＮｃｅｌｌＭｅａｓＰ(即ち、ｍｅａｓＳｕｂｆｒａｍｅＰａｔｔｅｒｎＮｅｉｇｈ)は１１００であり、隣接セル(例えば、第１の小規模セル及び第２の小規模セル)に対し、第１及び第２のサブフレーム上で測定を実行し、第３及び第４のサブフレーム上では測定を実行しなかった。そのテスト３の結果は、テスト１の結果及びテスト２の結果とほぼ同じである。ただし、サービングセルに対するＲＬＭS(即ち、ＳＮＲ)をみると、ＩＣを実行する場合は、過度な測定結果が現れ、ｏｅと記入されているが、ＩＣを実行しない場合は、測定が正確に実行され、ｒｅと記入されている。
【０２０７】
最後に、テスト４では、以上の表８から分かるように、ＰｃｅｌｌＭｅａｓＰ(即ち、ｍｅａｓＳｕｂｆｒａｍｅＰａｔｔｅｒｎＰＣｅｌｌ)が００１１であり、サービングセルに対し、第１及び第２のサブフレーム上で測定を実行せず、第３及び第４のサブフレーム上では測定を実行した。また、テスト４では、ＮｃｅｌｌＭｅａｓＰ(即ち、ｍｅａｓＳｕｂｆｒａｍｅＰａｔｔｅｒｎＮｅｉｇｈ)も００１１であり、隣接セル(例えば、第１の小規模セル及び第２の小規模セル)に対し、第１及び第２のサブフレーム上で測定を実行せず、第３及び第４のサブフレーム上では測定を実行した。テスト４の結果は、テスト３の結果と同じである。
【０２０８】
以上の４回の第１のテスト結果を整理すると、下記の通りである。
【０２０９】
ｉ)サービングセル２００に対するＲＳＲＰは、サービングセルの測定パターン(即ち、ＰｃｅｌｌＭｅａｓＰまたはｍｅａｓＳｕｂｆｒａｍｅＰａｔｔｅｒｎＰｃｅｌｌ)と関係なしに、そして干渉除去(ＩＣ)が実行可能であるか否かと関係なしに正確に測定される。
【０２１０】
ii)第２のアグレッサセル(例えば、第２の小規模セル３００ｂ)に対するＲＳＲＰは、隣接セルの測定パターン(即ち、ＮｃｅｌｌＭｅａｓＰまたはｍｅａｓＳｕｂｆｒａｍｅＰａｔｔｅｒｎＮｅｉｇｈ)と関係なしに、そして干渉除去(ＩＣ)が実行可能であるか否かと関係なしに正確に測定される。
【０２１１】
iii )ビクティムセル(例えば、第１の小規模セル３００ａ)に対するＲＳＲＰは、測定パターン(即ち、ＮｃｅｌｌＭｅａｓＰまたはｍｅａｓＳｕｂｆｒａｍｅＰａｔｔｅｒｎＮｅｉｇｈ)と関係なしに、干渉除去(ＩＣ)を実行する場合は正確に測定される。
【０２１２】
iv)サービングセル２００に対するＲＬＭ、即ち、ＳＮＲは、一般(ｎｏｎ−ＡＢＳ)サブフレーム上での実際の雑音よりＡＢＳサブフレーム上での雑音が低く測定されるため、干渉除去(ＩＣ)が実行可能であるか否かと関係なしに、ＡＢＳパターンと同じ測定パターン(即ち、ＰｃｅｌｌＭｅａｓＰまたはｍｅａｓＳｕｂｆｒａｍｅＰａｔｔｅｒｎＰｃｅｌｌ)上では過度に測定される。
【０２１３】
ｖ)また、サービングセル２００に対するＲＬＭ、即ち、ＳＮＲは、干渉除去(ＩＣ)の実行により実際雑音より低い雑音が測定されるため、ＡＢＳパターンと異なるサービングセルの測定パターン(即ち、ＰｃｅｌｌＭｅａｓＰまたはｍｅａｓＳｕｂｆｒａｍｅＰａｔｔｅｒｎＰｃｅｌｌ)上では、過度に測定される。
【０２１４】
vi)サービングセル２００に対するＲＬＭ、即ち、ＳＮＲは、一般(ｎｏｎ−ＡＢＳ)サブフレーム上では実際に雑音をよく反映するため、ＡＢＳパターンと異なるサービングセルの測定パターン(即ち、ＰｃｅｌｌＭｅａｓＰまたはｍｅａｓＳｕｂｆｒａｍｅＰａｔｔｅｒｎＰｃｅｌｌ)上ではＩＣを実行しない場合、正確に測定することができる。
【０２１５】
vii )サービングセル２００に対するＣＳＩは、ＡＢＳパターンと異なるサービングセルの測定パターン(即ち、ｃｓｉｓｅｔ２またはｃｓｉ−ＭｅａｓＳｕｂｆｒａｍｅＳｅｔ２)上では正確に測定される。
【０２１６】
viii)サービングセル２００に対するＣＳＩは、ＡＢＳサブフレーム上では雑音が低く測定されるため、ｃｓｉＳｅｔ２のｒｅｌｅａｓｅによって、ＡＢＳサブフレームのＣＳＩ測定結果と一般サブフレームでのＣＳＩ測定結果を平均すると、過度な測定結果が現れる。
【０２１７】
以上、整理された第１のテスト結果から、図１３ａに示すように、サービングセルが第１のアグレッサセルであり、そして第１のアグレッサセルのＣＲＳとビクティムセルのＣＲＳは衝突し、且つビクティムセルのＣＲＳと第２のアグレッサセルのＣＲＳは衝突しない場合、ＡＢＳパターンと異なるサービングセルの測定パターン(即ち、ＰｃｅｌｌＭｅａｓＰまたはｍｅａｓＳｕｂｆｒａｍｅＰａｔｔｅｒｎＰｃｅｌｌ)では、ＲＳＲＰ、ＲＬＭ、ＣＳＩが正確に測定することができることを知ることができる。
【０２１８】
したがって、図１３ａに示す環境と類似している環境(サービングセルが第１のアグレッサセルであり、そして第１のアグレッサセルのＣＲＳとビクティムセルのＣＲＳは衝突し、且つビクティムセルのＣＲＳと第２のアグレッサセルのＣＲＳは衝突しない場合)に対し、本明細書の第１の開示は、下記のように提案する。
【０２１９】
提案１：サービングセルの測定パターン(即ち、ＰｃｅｌｌＭｅａｓＰまたはｍｅａｓＳｕｂｆｒａｍｅＰａｔｔｅｒｎＰｃｅｌｌ)は、ｎｏｎ−ＡＢＳパターンのサブセットでなければならない。即ち、サービングセルに対して測定が実行されるサブフレームは、一般(ｎｏｎ−ＡＢＳ)サブフレームの中から選択されなければならない。
【０２２０】
提案２：隣接セルの測定パターン(即ち、ＮｃｅｌｌＭｅａｓＰまたはｍｅａｓＳｕｂｆｒａｍｅＰａｔｔｅｒｎＮｅｉｇｈ)は、ＡＢＳパターンのサブセットでなければならない。即ち、隣接セルに対して測定が実行されるサブフレームは、ＡＢＳサブフレームの中から選択されなければならない。
【０２２１】
提案３：ＲＬＭの測定パターンは、ｃｓｉ−ＭｅａｓＳｕｂｆｒａｍｅＳｅｔ２またはｃｓｉＳｅｔ２のサブセットでなければならない。即ち、ＲＬＭが実行されるサブフレームは、ＣＳＩ測定が実行される一般(ｎｏｎ−ＡＢＳ)サブフレームの中から選択されなければならない。
【０２２２】
図１４は、図１３ａに示す環境の変形例を示す例示図である。
【０２２３】
図１４を参照すると、ＵＥ１００のサービングセルである第１の小規模セル３００ａの周辺にはマクロセル２００と第２の小規模セル３００ｂが存在する。もし、ＵＥ１００が前記サービングセルである第１の小規模セル３００ａのカバレッジと前記マクロセル２００のカバレッジとの間の重なり地域に位置した場合、前記マクロセル２００のＣＲＳと前記第２の小規模セル３００ｂのＣＲＳは、前記サービングセルである第１の小規模セル３００ａに干渉を及ぼす。したがって、前記サービングセルである第１の小規模セル３００ａをビクティムセルと見て、前記マクロセル２００は、第１のアグレッサセルと見て、前記第２の小規模セル３００ｂを第２のアグレッサセルと見ることができる。
【０２２４】
しかし、例えば、前記第１のアグレッサセルであるマクロセル２００のセルＩＤは０であり、前記第１の小規模セル３００ａのセルＩＤは６であり、前記第２の小規模セル３００ｂのセルＩＤは１であると仮定する。
【０２２５】
その場合、前記セルＩＤの０と６は、６の倍数であるため、前記数式６を参照して説明したように、前記第１のアグレッサセルであるマクロセル２００と前記サービングセルである第１の小規模セル３００ａは、互いに同じ副搬送波位置ｋでＣＲＳを送信するため、ＣＲＳが互いに衝突するようになる。
【０２２６】
したがって、前記ＵＥ１００は、ＣＲＳに対する干渉除去(ＩＣ)を実行しなければならない。そのために、前記サービングセルである第１の小規模セル３００ａは、ＣＲＳ支援情報(ＣＲＳ Ａｓｓｉｓｔａｎｃｅ Ｉｎｆｏ)をＵＥ１００に伝送することができる。前記ＣＲＳ支援情報は、アグレッサセル(ａｇｇｒｅｓｓｏｒ ｃｅｌｌ)に対するリスト、即ち、測定を実行するセルのＣＲＳと衝突するＣＲＳを送信するセルのセルＩＤと、アグレッサセルのＣＲＳ情報を含む。
【０２２７】
しかし、図１４に示す環境でも前述したのような問題点がある。
【０２２８】
したがって、このような問題点を解決するために、本発明者は、第２のテスト(シミュレーション)を介して測定性能を観察し、それに対する解決策を探した。
【０２２９】
<第２のテスト(シミュレーション)及びその結果による方案>
【０２３０】
第２のテスト(シミュレーション)の実行条件は、前述した第１のテストの実行条件と同じである。
【０２３１】
第２のテスト(シミュレーション)結果は、以下の表９で表した。
【０２３２】
また、以下の表９において、スケジューラパターン(ＳｃｈｅｄｕｌｅｒＰａｔｔｅｒｎ)は、表８と違って、１１００であり、これは第１及び第２のサブフレーム上ではスケジューリングが実行されてデータが送信され、第３及び第４のサブフレーム上ではスケジューリングが実行されなくてデータが送信されないことを意味する。
【０２３３】
また、以下の表９において、ＩＣは、ＣＲＳ干渉除去が実行されることを示し、ｎｏＩＣは、ＣＲＳ干渉除去が実行されないことを示す。
【０２３４】
【表９】
2015528661.tif 000017
【０２３５】
以上の表９から分かるように、テスト１では、サービングセルに対する測定が実行されるサブフレームを示すＰｃｅｌｌＭｅａｓＰ(即ち、ｍｅａｓＳｕｂｆｒａｍｅＰａｔｔｅｒｎＰＣｅｌｌ)は１１００であり、隣接セルに対する測定が実行されるサブフレームを示すＮｃｅｌｌＭｅａｓＰ(即ち、ｍｅａｓＳｕｂｆｒａｍｅＰａｔｔｅｒｎＮｅｉｇｈ)は１１００である。その結果、第１のアグレッサセル(例えば、マクロセル２００)に対するＲＳＲＰA1及び第２のアグレッサセル(即ち、第２の小規模セル３００ｂ)に対するＲＳＲＰA2をみると、ＩＣが実行可能であるか否かに関係なしに測定が正確に実行され、表９にｒｅと記入されている。しかし、ビクティムセル(即ち、サービングセル３００ａ)に対するＲＳＲＰVをみると、ＩＣを実行する場合は、測定が正確に実行され、ｒｅと表９に記入されているが、ＩＣを実行しない場合は、過度な測定結果が現れ、ｏｅと記入されている。一方、サービングセルに対するＲＬＭS(即ち、ＳＮＲ)をみると、ＩＣを実行する場合は、測定が正確に実行され、ｒｅと記入されているが、ＩＣを実行しない場合は、過度な測定結果が現れ、ｏｅと記入されている。また、チャネル状態情報(ＣＳＩ)をみると、ｃｓｉＳｅｔ１によって、ＡＢＳサブフレーム上でのＣＳＩ測定が正確に実行され、ｒｅと記入されているが、ｒｅｌｅａｓｅによって、ＡＢＳサブフレームのＣＳＩ測定結果と一般サブフレームでのＣＳＩ測定結果を平均すると、足りない（過少な）測定結果が現れ、ｕｅと記入されている。
【０２３６】
次に、テスト２では、以上の表９から分かるように、サービングセルに対する測定が実行されるサブフレームを示すＰｃｅｌｌＭｅａｓＰ(即ち、ｍｅａｓＳｕｂｆｒａｍｅＰａｔｔｅｒｎＰＣｅｌｌ)は１１００であり、隣接セルに対する測定が実行されるサブフレームを示すＮｃｅｌｌＭｅａｓＰ(即ち、ｍｅａｓＳｕｂｆｒａｍｅＰａｔｔｅｒｎＮｅｉｇｈ)は００１１である。そのテスト２の結果は、テスト１の結果と同じである。
【０２３７】
また、テスト３では、以上の表９から分かるように、サービングセルに対する測定が実行されるサブフレームを示すＰｃｅｌｌＭｅａｓＰ(即ち、ｍｅａｓＳｕｂｆｒａｍｅＰａｔｔｅｒｎＰＣｅｌｌ)は００１１であり、隣接セルに対する測定が実行されるサブフレームを示すＮｃｅｌｌＭｅａｓＰ(即ち、ｍｅａｓＳｕｂｆｒａｍｅＰａｔｔｅｒｎＮｅｉｇｈ)は１１００である。そのテスト３の結果は、テスト１の結果及びテスト２の結果とほぼ同じである。ただし、サービングセルに対するＲＬＭS(即ち、ＳＮＲ)をみると、ＩＣが実行可能であるか否かに関係なしに足りない測定結果が現れ、ｕｅと記入されている。
【０２３８】
最後に、テスト４では、以上の表９から分かるように、サービングセルに対する測定が実行されるサブフレームを示すＰｃｅｌｌＭｅａｓＰ(即ち、ｍｅａｓＳｕｂｆｒａｍｅＰａｔｔｅｒｎＰＣｅｌｌ)は００１１であり、隣接セルに対する測定が実行されるサブフレームを示すＮｃｅｌｌＭｅａｓＰ(即ち、ｍｅａｓＳｕｂｆｒａｍｅＰａｔｔｅｒｎＮｅｉｇｈ)は１１００である。テスト４の結果は、テスト３の結果と同じである。
【０２３９】
以上の４回の第２のテスト結果を整理すると、下記の通りである。
【０２４０】
ｉ)サービングセル３００ａに対するＲＳＲＰvは、干渉除去(ＩＣ)を実行すると、サービングセルの測定パターン(即ち、ＰｃｅｌｌＭｅａｓＰまたはｍｅａｓＳｕｂｆｒａｍｅＰａｔｔｅｒｎＰｃｅｌｌ)と関係なしに正確に測定される。
【０２４１】
ii)第１のアグレッサセル(例えば、マクロセル２００)に対するＲＳＲＰA1は、隣接セルの測定パターン(即ち、ＮｃｅｌｌＭｅａｓＰまたはｍｅａｓＳｕｂｆｒａｍｅＰａｔｔｅｒｎＮｅｉｇｈ)と関係なしに、そして干渉除去(ＩＣ)が実行可能であるか否かと関係なしに正確に測定される。
【０２４２】
iii )第２のアグレッサセル(例えば、第２の小規模セル３００ｂ)に対するＲＳＲＰA2は、隣接セルの測定パターン(即ち、ＮｃｅｌｌＭｅａｓＰまたはｍｅａｓＳｕｂｆｒａｍｅＰａｔｔｅｒｎＮｅｉｇｈ)と関係なしに、そして干渉除去(ＩＣ)と関係なしに正確に測定される。
【０２４３】
iv)サービングセル３００ａに対するＲＬＭ、即ち、ＳＮＲは、干渉除去(ＩＣ)を実行する場合、ＡＢＳパターンと同じ測定パターン(即ち、ＰｃｅｌｌＭｅａｓＰまたはｍｅａｓＳｕｂｆｒａｍｅＰａｔｔｅｒｎＰｃｅｌｌ)上では正確に測定される。
【０２４４】
ｖ)サービングセル３００ａに対するＲＬＭ、即ち、ＳＮＲは、干渉除去(ＩＣ)を実行しない場合、実際雑音より高い雑音が測定されるため、ＡＢＳパターンと同じ測定パターン(即ち、ＰｃｅｌｌＭｅａｓＰまたはｍｅａｓＳｕｂｆｒａｍｅＰａｔｔｅｒｎＰｃｅｌｌ)上では、足りないと測定される。
【０２４５】
vi)サービングセル３００ａに対するＲＬＭ、即ち、ＳＮＲは、ＡＢＳサブフレーム上では実際雑音より高い雑音が測定されるため、干渉除去(ＩＣ)と関係なしに、ＡＢＳパターンと異なる測定パターン(即ち、ＰｃｅｌｌＭｅａｓＰまたはｍｅａｓＳｕｂｆｒａｍｅＰａｔｔｅｒｎＰｃｅｌｌ)上では足りないと測定されることができる。
【０２４６】
vii )サービングセル３００ａに対するＣＳＩは、ＡＢＳパターンと同じ測定パターン(即ち、ｃｓｉｓｅｔ１またはｃｓｉ−ＭｅａｓＳｕｂｆｒａｍｅＳｅｔ１)上では正確に測定される。
【０２４７】
viii)サービングセル３００ａに対するＣＳＩは、一般(ｎｏｎ−ＡＢＳ)サブフレーム上では雑音が高く測定されるため、ｃｓｉＳｅｔ１のｒｅｌｅａｓｅによって、ＡＢＳサブフレームのＣＳＩ測定結果と一般サブフレームでのＣＳＩ測定結果を平均すると、足りない測定結果が現れる。
【０２４８】
以上、整理された第２のテスト結果から、図１４に示すように、サービングセルがビクティムセルであり、そしてビクティムセルであるサービングセルのＣＲＳと第１のアグレッサセルのＣＲＳは衝突し、且つビクティムセルであるサービングセルのＣＲＳと第２のアグレッサセルのＣＲＳは衝突しない場合、ＡＢＳパターンと同じサービングセルの測定パターン(即ち、ＰｃｅｌｌＭｅａｓＰまたはｍｅａｓＳｕｂｆｒａｍｅＰａｔｔｅｒｎＰｃｅｌｌ)では、ＲＳＲＰ、ＲＬＭ、ＣＳＩが正確に測定することができることを知ることができる。
【０２４９】
したがって、図１４に示す環境と類似の環境(サービングセルがビクティムセルであり、そして前記ビクティムセルのＣＲＳと第１のアグレッサセルのＣＲＳは衝突し、且つビクティムセルのＣＲＳと第２のアグレッサセルのＣＲＳは衝突しない場合)に対し、本明細書の第２の開示は、下記のように提案する。
【０２５０】
提案４：サービングセルの測定パターン(即ち、ＰｃｅｌｌＭｅａｓＰまたはｍｅａｓＳｕｂｆｒａｍｅＰａｔｔｅｒｎＰｃｅｌｌ)は、ＡＢＳパターンのサブセットでなければならない。即ち、サービングセルに対して測定が実行されるサブフレームは、ＡＢＳサブフレームの中から選択されなければならない。
【０２５１】
提案５：隣接セルの測定パターン(即ち、ＮｃｅｌｌＭｅａｓＰまたはｍｅａｓＳｕｂｆｒａｍｅＰａｔｔｅｒｎＮｅｉｇｈ)は、ｎｏｎ−ＡＢＳパターンのサブセットでなければならない。即ち、隣接セルに対して測定が実行されるサブフレームは、一般(ｎｏｎ−ＡＢＳ)サブフレームの中から選択されなければならない。
【０２５２】
提案６：ＲＬＭの測定パターンは、ｃｓｉ−ＭｅａｓＳｕｂｆｒａｍｅＳｅｔ１またはｃｓｉＳｅｔ１のサブセットでなければならない。即ち、ＲＬＭが実行されるサブフレームは、ＣＳＩ測定が実行されるＡＢＳサブフレームの中から選択されなければならない。
【０２５３】
また、以上で言及した提案１乃至提案６に加えて、本明細書は、下記のように提案する。
【０２５４】
提案７：サービングセルが第１のアグレッサセルであり、そして第１のアグレッサセルのＣＲＳとビクティムセルのＣＲＳは衝突し、且つビクティムセルのＣＲＳと第２のアグレッサセルのＣＲＳは衝突しない場合、一般(ｎｏｎ−ＡＢＳ)サブフレームパターンのサブセットは、隣接セルの測定パターンから除外されなければならない。
【０２５５】
提案８：サービングセルがビクティムセルであり、そして前記ビクティムセルのＣＲＳと第１のアグレッサセルのＣＲＳは衝突し、且つビクティムセルのＣＲＳと第２のアグレッサセルのＣＲＳは衝突しない場合、ＡＢＳサブフレームパターンのサブセットは、隣接セルの測定パターンから除外されなければならない。
【０２５６】
提案９：サービングセルが第１のアグレッサセルであり、そして第１のアグレッサセルのＣＲＳとビクティムセルのＣＲＳは衝突し、且つビクティムセルのＣＲＳと第２のアグレッサセルのＣＲＳは衝突しない場合、一般(ｎｏｎ−ＡＢＳ)サブフレームパターンのサブセットは、サービングセルの測定パターン及び隣接セルの測定パターンに適用されなければならない。
【０２５７】
提案１０：サービングセルがビクティムセルであり、そして前記ビクティムセルのＣＲＳと第１のアグレッサセルのＣＲＳは衝突し、且つビクティムセルのＣＲＳと第２のアグレッサセルのＣＲＳは衝突しない場合、ＡＢＳサブフレームパターンのサブセットは、サービングセルの測定パターン及び隣接セルの測定パターンに適用されなければならない。
【０２５８】
提案１１：サービングセルが第１のアグレッサセルであり、そして第１のアグレッサセルのＣＲＳとビクティムセルのＣＲＳは衝突し、且つビクティムセルのＣＲＳと第２のアグレッサセルのＣＲＳは衝突しない場合、ＲＬＭの測定パターンは、ｃｓｉ−ＭｅａｓＳｕｂｆｒａｍｅＳｅｔ１またはｃｓｉＳｅｔ１に設定されなければならない。
【０２５９】
提案１２：サービングセルがビクティムセルであり、そして前記ビクティムセルのＣＲＳと第１のアグレッサセルのＣＲＳは衝突し、且つビクティムセルのＣＲＳと第２のアグレッサセルのＣＲＳは衝突しない場合、ＲＬＭの測定パターンは、ｃｓｉ−ＳｕｂｆｒａｍｅＰａｔｔｅｒｎＣｏｎｆｉｇに設定されなければならない。
【０２６０】
以上で説明した本発明の実施例は、多様な手段を介して具現されることができる。例えば、本発明の実施例は、ハードウェア、ファームウェア(ｆｉｒｍｗａｒｅ)、ソフトウェアまたはそれらの結合などにより具現されることができる。具体的には図面を参照して説明する。
【０２６１】
図１５は、本明細書の開示が具現される無線通信システムを示すブロック図である。
【０２６２】
基地局２００/３００は、プロセッサ(ｐｒｏｃｅｓｓｏｒ)２０１/３０１、メモリ(ｍｅｍｏｒｙ)２０２/３０２及びＲＦ部(ＲＦ(ｒａｄｉｏ ｆｒｅｑｕｅｎｃｙ)ｕｎｉｔ)２０３/３０３を含む。メモリ２０２/３０２は、プロセッサ２０１/３０１と連結され、プロセッサ２０１/３０１を駆動するための多様な情報を格納する。ＲＦ部２０３/３０３は、プロセッサ２０１/３０１と連結され、無線信号を送信及び/または受信する。プロセッサ２０１/３０１は、提案された機能、過程及び/または方法を具現する。前述した実施例において、基地局の動作は、プロセッサ２０１/３０１により具現することができる。
【０２６３】
ＭＴＣ機器１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び/または受信する。プロセッサ１０１は、提案された機能、過程及び/または方法を具現する。
【０２６４】
プロセッサは、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリは、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部は、無線信号を処理するためのベースバンド回路を含むことができる。実施例がソフトウェアで具現される時、前述した技法は、前述した機能を遂行するモジュール(過程、機能など)で具現することができる。モジュールは、メモリに格納され、プロセッサにより実行することができる。メモリは、プロセッサの内部または外部にあり、よく知られた多様な手段によりプロセッサと連結することができる。
【０２６５】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的ではなく、他のステップが含まれ、または流れ図の一つまたはそれ以上のステップが本発明の範囲に影響を及ぼさずに削除可能であることを理解することができる。
【図１】
2015528661.tif 000018
【図２】
2015528661.tif 000019
2015528661.tif 000020
【図３】
2015528661.tif 000021
【図４】
2015528661.tif 000022
【図５】
2015528661.tif 000023
【図６】
2015528661.tif 000024
【図７】
2015528661.tif 000025
【図８】
2015528661.tif 000026
【図９ａ】
2015528661.tif 000027
【図９ｂ】
2015528661.tif 000028
【図１０】
2015528661.tif 000029
【図１１ａ】
2015528661.tif 000030
【図１１ｂ】
2015528661.tif 000031
【図１２】
2015528661.tif 000032
【図１３ａ】
2015528661.tif 000033
【図１３ｂ】
2015528661.tif 000034
【図１３ｃ】
2015528661.tif 000035
【図１４】
2015528661.tif 000036
【図１５】
2015528661.tif 000037
【国際調査報告】
2015528661.tif 000038
2015528661.tif 000039
2015528661.tif 000040
2015528661.tif 000041